(57)【特許請求の範囲】
【請求項１】
ワイヤレス通信のための方法において、
電力決定パイロットを送信するために使用する時間−周波数リソースのセットを決定することと、
第１の時間期間中に、前記時間−周波数リソースのセット上で、装置により、第２の装置に対して前記電力決定パイロットを送信して、前記第１の時間期間の後の第２の時間期間中のデータ送信に対して前記装置により使用される送信電力レベルを示すことと、
前記装置により、前記第２の装置から、チャネル品質情報（ＣＱＩ）またはアップリンク認可を受信することと、
前記装置により、前記第２の装置に対して、前記ＣＱＩまたはアップリンク認可にしたがってデータを送信することとを含み、
前記時間−周波数リソースのセットは、送信に対して利用可能な時間−周波数リソースのある割合を含み、
前記電力決定パイロットを送信することは、擬似ランダムシーケンスに基づいて発生された変調シンボルのシーケンスを送信することを含み、
前記ＣＱＩまたはアップリンク認可は前記電力決定パイロットに基づいており、干渉している第３の装置からの第２の電力決定パイロットにさらに基づいている方法。
【請求項２】
前記第２の時間期間におけるデータ送信に対して使用する送信電力レベルに基づいて、前記電力決定パイロットに対する送信電力レベルを決定することをさらに含み、
前記電力決定パイロットは、前記電力決定パイロットに対して決定された前記送信電力レベルにおいて送信される請求項１記載の方法。
【請求項３】
前記第２の時間期間中に、データ送信が送られない場合、前記電力決定パイロットは、ゼロの電力において送信される請求項１記載の方法。
【請求項４】
前記時間−周波数リソースのセットを決定することは、前記電力決定パイロットを送信するために使用するリソースエレメントのセットを決定することを含み、前記電力決定パイロットを送信することは、前記リソースエレメントのセット上で前記電力決定パイロットを送信することを含む請求項１記載の方法。
【請求項５】
前記リソースエレメントのセットは、少なくとも１個のリソースブロック中で、複数の副搬送波と複数のシンボル期間とにわたって分配される請求項４記載の方法。
【請求項６】
前記リソースエレメントのセット上で前記電力決定パイロットを送信することは、
前記リソースエレメントのセット上に前記電力決定パイロットを有する少なくとも１個の直交周波数分割多元接続（ＯＦＤＭＡ）シンボルを発生させることと、
前記少なくとも１個のＯＦＤＭＡシンボルを送信することとを含む請求項４記載の方法。
【請求項７】
前記時間−周波数リソースのセットを決定することは、少なくとも１個の単一搬送波周波数分割多元接続（ＳＣ−ＦＤＭＡ）シンボル中で前記電力決定パイロットを送信するために使用するリソースユニットのセットを決定することを含み、前記電力決定パイロットを送信することは、前記少なくとも１個のＳＣ−ＦＤＭＡシンボル中の前記リソースユニットのセット上で前記電力決定パイロットを送信することを含む請求項１記載の方法。
【請求項８】
前記リソースユニットのセットは、各ＳＣ−ＦＤＭＡシンボル中の送信に対して利用可能なシンボル位置の予め定められた割合を占有する請求項７記載の方法。
【請求項９】
前記リソースユニットのセットは、前記少なくとも１個のＳＣ−ＦＤＭＡシンボル中の送信に対して利用可能なリソースユニットのうちの予め定められたものを含む請求項７記載の方法。
【請求項１０】
前記電力決定パイロットを送信することは、
前記リソースユニットのセット上に前記電力決定パイロットを有する前記少なくとも１個のＳＣ−ＦＤＭＡシンボルを発生させることと、
前記少なくとも１個のＳＣ−ＦＤＭＡシンボルを送信することとを含む請求項７記載の方法。
【請求項１１】
前記電力決定パイロットを送信することは、
前記電力決定パイロットを送信する局を識別するシンボルのシーケンスを発生させることと、
前記シンボルのシーケンスを、前記電力決定パイロットを送信するために使用する前記時間−周波数リソースのセットにマッピングすることとを含む請求項１記載の方法。
【請求項１２】
前記電力決定パイロットは、特定の空間方向に送信される請求項１記載の方法。
【請求項１３】
前記電力決定パイロットは、複数の副帯域のうちの副帯域上で送信され、前記第２の時間期間中の前記副帯域上のデータ送信のために使用する送信電力レベルを示す請求項１記載の方法。
【請求項１４】
複数の局が、前記時間−周波数リソースのセット上で、オーバーラップしている電力決定パイロットを送信する請求項１記載の方法。
【請求項１５】
第２の電力決定パイロットを送信するために使用する時間−周波数リソースの第２のセットを決定することと、
前記第１の時間期間中に、前記時間−周波数リソースの第２のセット上で、前記第２の電力決定パイロットを送信して、前記第１の時間期間の後のデータ送信に対して使用する第２の送信電力レベルを示すこととをさらに含む請求項１記載の方法。
【請求項１６】
前記時間−周波数リソースのセットは、少なくとも１個のリソースブロック中にリソースエレメントの第１のセットを有し、前記時間−周波数リソースの第２のセットは、前記少なくとも１個のリソースブロック中にリソースエレメントの第２のセットを有する請求項１５記載の方法。
【請求項１７】
前記時間−周波数リソースのセットは、少なくとも１個の単一搬送波周波数分割多元接続（ＳＣ−ＦＤＭＡ）シンボル中に、リソースユニットの第１のセットを有し、前記時間−周波数リソースの第２のセットは、前記少なくとも１個のＳＣ−ＦＤＭＡシンボル中に、リソースユニットの第２のセットを有する請求項１５記載の方法。
【請求項１８】
前記時間−周波数リソースのセットは、サブフレームにおける第１の単一搬送波周波数分割多元接続（ＳＣ−ＦＤＭＡ）シンボル中に、リソースユニットの第１のセットを有し、前記時間−周波数リソースの第２のセットは、前記サブフレームにおける第２のＳＣ−ＦＤＭＡシンボル中に、リソースユニットの第２のセットを有する請求項１５記載の方法。
【請求項１９】
前記電力決定パイロットは、第１の副帯域上で送信され、前記第１の副帯域上のデータ送信に対して使用する前記送信電力レベルを示しており、前記第２の電力決定パイロットは、第２の副帯域上で送信され、前記第２の副帯域上のデータ送信に対して使用する前記第２の送信電力レベルを示している請求項１５記載の方法。
【請求項２０】
前記電力決定パイロットは、第１の副帯域上で送信され、前記第１の副帯域上のデータ送信に対して使用する前記送信電力レベルを示しており、前記第２の電力決定パイロットは、前記第１の副帯域上で送信され、第２の副帯域上のデータ送信に対して使用する前記第２の送信電力レベルを示している請求項１５記載の方法。
【請求項２１】
前記第２の電力決定パイロットは、前記第２の時間期間の後の第３の時間期間中のデータ送信に対して使用する前記第２の送信電力レベルを示している請求項１５記載の方法。
【請求項２２】
前記電力決定パイロットを送信する要求を受信することをさらに含み、前記電力決定パイロットは、前記要求を受信することに応答して送信される請求項１記載の方法。
【請求項２３】
前記電力決定パイロットは、均一に間隔があけられた時間期間中に、周期的に送信される請求項１記載の方法。
【請求項２４】
前記電力決定パイロットは、パターンに基づいて、異なる時間期間中に、異なる副搬送波上で送信される請求項１記載の方法。
【請求項２５】
前記第１および第２の時間期間は、均一に間隔があけられたサブフレームを含むインターレースにおける連続するサブフレームに対応している請求項１記載の方法。
【請求項２６】
ワイヤレス通信のための装置において、
電力決定パイロットを送信するために使用する時間−周波数リソースのセットを決定する手段と、
第１の時間期間中に、前記時間−周波数リソースのセット上で、前記装置により、第２の装置に対して前記電力決定パイロットを送信して、前記第１の時間期間の後の第２の時間期間中のデータ送信に対して前記装置により使用される送信電力レベルを示す手段と、
前記装置により、前記第２の装置から、チャネル品質情報（ＣＱＩ）またはアップリンク認可を受信する手段と、
前記装置により、前記第２の装置に対して、前記ＣＱＩまたはアップリンク認可にしたがってデータを送信する手段とを具備し、
前記時間−周波数リソースのセットは、送信に対して利用可能な時間−周波数リソースのある割合を含み、
前記電力決定パイロットを送信することは、擬似ランダムシーケンスに基づいて発生された変調シンボルのシーケンスを送信することを含み、
前記ＣＱＩまたはアップリンク認可は前記電力決定パイロットに基づいており、干渉している第３の装置からの第２の電力決定パイロットにさらに基づいている装置。
【請求項２７】
前記第２の時間期間中のデータ送信に対して使用する送信電力レベルに基づいて、前記電力決定パイロットに対する送信電力レベルを決定する手段をさらに具備し、
前記電力決定パイロットは、前記電力決定パイロットに対して決定された前記送信電力レベルにおいて送信される請求項２６記載の装置。
【請求項２８】
前記時間−周波数リソースのセットを決定する手段は、前記電力決定パイロットを送信するために使用するリソースエレメントのセットを決定する手段を備え、前記電力決定パイロットを送信する手段は、前記リソースエレメントのセット上で前記電力決定パイロットを送信する手段を備える請求項２６記載の装置。
【請求項２９】
前記時間−周波数リソースのセットを決定する手段は、少なくとも１個の単一搬送波周波数分割多元接続（ＳＣ−ＦＤＭＡ）シンボル中で前記電力決定パイロットを送信するために使用するリソースユニットのセットを決定する手段を備え、前記電力決定パイロットを送信する手段は、前記少なくとも１個のＳＣ−ＦＤＭＡシンボル中の前記リソースユニットのセット上で前記電力決定パイロットを送信する手段を備える請求項２６記載の装置。
【請求項３０】
前記電力決定パイロットを送信する手段は、
前記電力決定パイロットを送信する局を識別するシンボルのシーケンスを発生させる手段と、
前記シンボルのシーケンスを、前記電力決定パイロットを送信するために使用する前記時間−周波数リソースのセットにマッピングする手段とを備える請求項２６記載の装置。
【請求項３１】
ワイヤレス通信のための装置において、
電力決定パイロットを送信するために使用する時間−周波数リソースのセットを決定し、
第１の時間期間中に、前記時間−周波数リソースのセット上で、前記装置により、第２の装置に対して前記電力決定パイロットを送信して、前記第１の時間期間の後の第２の時間期間中のデータ送信に対して前記装置により使用される送信電力レベルを示し、
前記装置により、前記第２の装置から、チャネル品質情報（ＣＱＩ）またはアップリンク認可を受信し、
前記装置により、前記第２の装置に対して、前記ＣＱＩまたはアップリンク認可にしたがってデータを送信するように構成されている少なくとも１つのプロセッサを具備し、
前記時間−周波数リソースのセットは、送信に対して利用可能な時間−周波数リソースのある割合を含み、
前記電力決定パイロットを送信することは、擬似ランダムシーケンスに基づいて発生された変調シンボルのシーケンスを送信することを含み、
前記ＣＱＩまたはアップリンク認可は前記電力決定パイロットに基づいており、干渉している第３の装置からの第２の電力決定パイロットにさらに基づいている装置。
【請求項３２】
前記少なくとも１つのプロセッサは、前記第２の時間期間中のデータ送信に対して使用する送信電力レベルに基づいて、前記電力決定パイロットに対する送信電力レベルを決定し、前記電力決定パイロットに対して決定された前記送信電力レベルにおいて、前記電力決定パイロットを送信するように構成されている請求項３１記載の装置。
【請求項３３】
前記少なくとも１つのプロセッサは、前記電力決定パイロットを送信するために使用するリソースエレメントのセットを決定し、前記リソースエレメントのセット上で前記電力決定パイロットを送信するように構成されている請求項３１記載の装置。
【請求項３４】
前記少なくとも１つのプロセッサは、少なくとも１個の単一搬送波周波数分割多元接続（ＳＣ−ＦＤＭＡ）シンボル中で前記電力決定パイロットを送信するために使用するリソースユニットのセットを決定し、前記少なくとも１個のＳＣ−ＦＤＭＡシンボル中の前記リソースユニットのセット上で前記電力決定パイロットを送信するように構成されている請求項３１記載の装置。
【請求項３５】
前記少なくとも１つのプロセッサは、前記電力決定パイロットを送信する局を識別するシンボルのシーケンスを発生させ、前記シンボルのシーケンスを、前記電力決定パイロットを送信するために使用する前記時間−周波数リソースのセットにマッピングするように構成されている請求項３１記載の装置。
【請求項３６】
コンピュータ読取可能記憶媒体において、
少なくとも１つのコンピュータに、電力決定パイロットを送信するために使用する時間−周波数リソースのセットを決定させるためのコードと、
前記少なくとも１つのコンピュータに、第１の時間期間中に、前記時間−周波数リソースのセット上で、装置により、第２の装置に対して前記電力決定パイロットを送信させて、前記第１の時間期間の後の第２の時間期間中のデータ送信に対して前記装置により使用される送信電力レベルを示させるためのコードと、
前記少なくとも１つのコンピュータに、前記装置により、前記第２の装置から、チャネル品質情報（ＣＱＩ）またはアップリンク認可を受信させるためのコードと、
前記少なくとも１つのコンピュータに、前記装置により、前記第２の装置に対して、前記ＣＱＩまたはアップリンク認可にしたがってデータを送信させるためのコードとを含み、
前記時間−周波数リソースのセットは、送信に対して利用可能な時間−周波数リソースのある割合を含み、
前記電力決定パイロットを送信することは、擬似ランダムシーケンスに基づいて発生された変調シンボルのシーケンスを送信することを含み、
前記ＣＱＩまたはアップリンク認可は前記電力決定パイロットに基づいており、干渉している第３の装置からの第２の電力決定パイロットにさらに基づいているコンピュータ読取可能記憶媒体。
【請求項３７】
ワイヤレス通信のための方法において、
各電力決定パイロットが、電力決定パイロットを送信する干渉局による、第１の時間期間の後の第２の時間期間中のデータ送信に対して使用する送信電力レベルを示し、
第１の局で、前記第１の時間期間中に、時間−周波数リソースのセット上で、少なくとも１つの干渉局から少なくとも１個の電力決定パイロットを受信することと、
前記第１の時間期間中に受信した前記少なくとも１個の電力決定パイロットに基づいて、前記第２の時間期間中のチャネル品質を推定することと、
前記推定したチャネル品質を示す情報を、前記第１の局から第２の局に送ることと、
前記情報に基づいて前記第２の時間期間中に前記第２の局により送られたデータ送信を、前記第１の局において受信することとを含む方法。
【請求項３８】
前記チャネル品質を推定することは、
前記第１の時間期間中に前記干渉局から受信した前記電力決定パイロットに基づいて、前記第２の時間期間中の前記少なくとも１つの干渉局のそれぞれによる干渉を推定することと、
前記第２の時間期間中の前記少なくとも１つの干渉局からの推定した干渉に基づいて、前記第２の時間期間中のチャネル品質を推定することとを含む請求項３７記載の方法。
【請求項３９】
前記第１の局はユーザ機器（ＵＥ）であり、前記第２の局は担当基地局であり、前記少なくとも１つの干渉局は、少なくとも１つの干渉基地局である請求項３７記載の方法。
【請求項４０】
前記第１の局は基地局であり、前記第２の局はターゲットユーザ機器（ＵＥ）であり、前記少なくとも１つの干渉局は、少なくとも１つの干渉ＵＥである請求項３７記載の方法。
【請求項４１】
ワイヤレス通信のための装置において、
各電力決定パイロットが、電力決定パイロットを送信する干渉局による、第１の時間期間の後の第２の時間期間中のデータ送信に対して使用する送信電力レベルを示し、
前記第１の時間期間中に、時間−周波数リソースのセット上で、少なくとも１つの干渉局から少なくとも１個の電力決定パイロットを受信する手段と、
前記第１の時間期間中に受信した前記少なくとも１個の電力決定パイロットに基づいて、前記第２の時間期間中のチャネル品質を推定する手段と、
前記推定したチャネル品質を示す情報を第２の局に送る手段と、
前記情報に基づいて前記第２の時間期間中に前記第２の局により送られたデータ送信を受信する手段とを具備する装置。
【請求項４２】
前記チャネル品質を推定する手段は、
前記第１の時間期間中に前記干渉局から受信した前記電力決定パイロットに基づいて、前記第２の時間期間中の前記少なくとも１つの干渉局のそれぞれによる干渉を推定する手段と、
前記第２の時間期間中の前記少なくとも１つの干渉局からの推定した干渉に基づいて、前記第２の時間期間中のチャネル品質を推定する手段とを備える請求項４１記載の装置。
【請求項４３】
ワイヤレス通信のための装置において、
各電力決定パイロットが、電力決定パイロットを送信する干渉局による、第１の時間期間の後の第２の時間期間中のデータ送信に対して使用する送信電力レベルを示し、
前記第１の時間期間中に、時間−周波数リソースのセット上で、少なくとも１つの干渉局から少なくとも１個の電力決定パイロットを受信し、
前記第１の時間期間中に受信した前記少なくとも１個の電力決定パイロットに基づいて、前記第２の時間期間中のチャネル品質を推定し、
前記推定したチャネル品質を示す情報を第２の局に送り、
前記情報に基づいて前記第２の時間期間中に前記第２の局により送られたデータ送信を受信するように構成されている少なくとも１つのプロセッサを具備する装置。
【請求項４４】
前記少なくとも１つのプロセッサは、
前記第１の時間期間中に前記干渉局から受信した前記電力決定パイロットに基づいて、前記第２の時間期間中の前記少なくとも１つの干渉局のそれぞれによる干渉を推定し、
前記第２の時間期間中の前記少なくとも１つの干渉局からの推定した干渉に基づいて、前記第２の時間期間中のチャネル品質を推定するように構成されている請求項４３記載の装置。
【請求項４５】
コンピュータ読取可能記憶媒体において、
各電力決定パイロットが、電力決定パイロットを送信する干渉局による、第１の時間期間の後の第２の時間期間中のデータ送信に対して使用する送信電力レベルを示し、
少なくとも１つのコンピュータに、第１の局で、前記第１の時間期間中に、時間−周波数リソースのセット上で、少なくとも１つの干渉局から少なくとも１個の電力決定パイロットを受信させるためのコードと、
前記少なくとも１つのコンピュータに、前記第１の時間期間中に受信した前記少なくとも１個の電力決定パイロットに基づいて、前記第２の時間期間中のチャネル品質を推定させるためのコードと、
前記少なくとも１つのコンピュータに、前記推定したチャネル品質を示す情報を、前記第１の局から第２の局に送らせるためのコードと、
前記少なくとも１つのコンピュータに、前記情報に基づいて前記第２の時間期間中に前記第２の局により送られたデータ送信を、前記第１の局において受信させるためのコードとを含むコンピュータ読取可能記憶媒体。
【発明の詳細な説明】
【優先権の主張】
【０００１】
本出願は、“電力決定パイロットインジケータチャネル”と題し、２００９年１月２６日に出願された米国仮出願シリアル番号６１／１４７，４０７、“電力決定パイロットインジケータチャネル”と題し、２００９年１月２６日に出願された米国仮出願シリアル番号６１／１４７，４０８、“電力決定パイロットインジケータチャネル−ＯＦＤＭＡ”と題し、２００９年１月２８日に出願された米国仮出願シリアル番号６１／１４７，８５１、“電力決定パイロットインジケータチャネル−ＳＣＦＤＭＡ”と題し、２００９年１月２９日に出願された米国仮出願シリアル番号６１／１４８，１１０に対して優先権を主張する。これらはすべて、本発明の譲受人に譲渡され、ここでの参照によりここに組み込まれている。
【分野】
【０００２】
本開示は、一般的に通信に関連し、さらに詳細には、ワイヤレス通信ネットワークにおける通信をサポートする技術に関連している。
【背景】
【０００３】
ワイヤレス通信システムは、音声、ビデオ、パケットデータ、メッセージング、ブロードキャストなどのような、さまざまな通信コンテンツを提供するために広く採用されている。これらのワイヤレスネットワークは、使用可能なシステムリソースを共有することにより、複数のユーザをサポートする能力を持つ多元接続ネットワークであってもよい。このような多元接続ネットワークの例は、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一搬送波ＦＤＭＡ（ＳＣ−ＦＤＭＡ）ネットワークを含む。
【０００４】
ワイヤレス通信ネットワークは、多数のユーザ機器（ＵＥ）に対する通信をサポートできる多数の基地局を含んでいてもよい。ＵＥは、ダウンリンクおよびアップリンクを通して、基地局と通信してもよい。ダウンリンク（すなわち、フォワードリンク）は、基地局からＵＥへの通信リンクのことを指し、アップリンク（すなわち、リバースリンク）は、ＵＥから基地局への通信リンクのことを指している。
【０００５】
基地局は、ダウンリンク上で、データおよび制御情報をＵＥに送信してもよく、および／または、アップリンク上で、ＵＥからデータおよび制御情報を受信してもよい。ダウンリンク上で、基地局からの送信は、隣接基地局からの送信のための干渉を観測するかもしれない。アップリンク上で、ＵＥからの送信は、隣接基地局と通信している他のＵＥからの送信に対して、干渉を起こすことがある。干渉は、ダウンリンクおよびアップリンクの双方上の性能を劣化させるかもしれない。
【概要】
【０００６】
干渉が存在する通信をサポートするために、電力決定パイロットを送信する技術をここで記述する。送信機（例えば、基地局またはＵＥ）は、電力決定パイロットを送信して、後続する時間−周波数リソース上で使用するだろう送信電力レベルを示してもよい。受信機（例えば、ＵＥまたは基地局）は、送信機のセットから電力決定パイロットを受信し、電力決定パイロットに基づいて、後続する時間−周波数リソース上で受信機が予期できるチャネル品質を推定してもよい。推定したチャネル品質を使用して、受信機に対するデータ送信のデータレートを選択してもよい。
【０００７】
１つの設計では、局（例えば、基地局またはＵＥ）は、電力決定パイロットを送信するために使用する時間―周波数リソースのセットを決定してもよい。この時間―周波数リソースのセットは、少なくとも１個のＯＦＤＭＡシンボルに対するリソースエレメントのセット、または、少なくとも１個のＳＣ−ＦＤＭＡシンボルに対するリソースユニットのセット、または、他の何らかのタイプのリソースを含んでもよい。局は、データ送信に対して使用する送信電力レベルに基づいて、電力決定パイロットに対する送信電力レベルを決定してもよい。局は、第１の時間期間中に、時間−周波数リソースのセット上で、電力決定パイロットを送信して、第１の時間期間の後の第２の時間期間中のデータ送信に対して使用する送信電力レベルを示してもよい。第２の時間期間中に、データ送信が送られない場合、局は、ゼロの電力で電力決定パイロットを送信してもよい。
【０００８】
局は、１個以上の追加的な時間―周波数リソースのセット上で、１個以上の追加的な電力決定パイロットのセットを送信してもよい。１つの設計では、複数の電力決定パイロットを異なる副帯域上で送信してもよく、複数の電力決定パイロットが、これらの副帯域上のデータ送信に対して使用する送信電力レベルを示してもよい。別の設計では、複数の電力決定パイロットを同じ副帯域上で送信してもよく、複数の電力決定パイロットが、異なる副帯域上のデータ送信に対して使用する送信電力レベルを示してもよい。さらに別の設計では、第１の時間期間中に、複数の電力決定パイロットを送信してもよく、複数の電力決定パイロットが、第１の時間期間の後の異なる時間期間中のデータ送信に対して使用する送信電力レベルを示してもよい。
【０００９】
本開示のさまざまな側面および特徴を、下記においてさらに詳細に記述する。
【図面の簡単な説明】
【００１０】
【図１】図１は、ワイヤレス通信ネットワークを示している。
【図２】図２は、ダウンリンクに対する例示的なデータ送信スキームを示している。
【図３】図３は、アップリンクに対する例示的なデータ送信スキームを示している。
【図４】図４は、例示的なフレーム構造を示している。
【図５】図５は、ＯＦＤＭＡによる電力決定パイロットの送信を示している。
【図６Ａ】図６Ａは、電力決定パイロットに対するサブフレームフォーマットを示している。
【図６Ｂ】図６Ｂは、電力決定パイロットに対するサブフレームフォーマットを示している。
【図７Ａ】図７Ａは、複数の電力決定パイロットの送信を示している。
【図７Ｂ】図７Ｂは、複数の電力決定パイロットの送信を示している。
【図７Ｃ】図７Ｃは、複数の電力決定パイロットの送信を示している。
【図８】図８は、ＳＣ−ＦＤＭＡによる電力決定パイロットの送信を示している。
【図９】図９は、１個のＳＣ−ＦＤＭＡシンボル期間における、４つのＵＥによる電力決定パイロットの例示的な送信を示している。
【図１０】図１０は、１個のＳＣ−ＦＤＭＡシンボル期間における、４つのＵＥによる電力決定パイロットの例示的な送信を示している。
【図１１】図１１は、電力決定パイロットを送信するためのプロセスを示している。
【図１２】図１２は、電力決定パイロットを送信するための装置を示している。
【図１３】図１３は、電力決定パイロットを受信するためのプロセスを示している。
【図１４】図１４は、電力決定パイロットを受信するための装置を示している。
【図１５】図１５は、基地局およびＵＥのブロックダイヤグラムを示している。
【詳細な説明】
【００１１】
ＣＤＭＡ、ＴＤＭＡ、ＦＤＭＡ、ＯＦＤＭＡ、ＳＣ−ＦＤＭＡ、および他のネットワークのような、さまざまなワイヤレス通信ネットワークに対して、ここで記述した技術を使用してもよい。“ネットワーク”および“システム”という用語は、互換性があるように使用されることが多い。ＣＤＭＡネットワークは、ユニバーサル地上無線アクセス（ＵＴＲＡ）、ｃｄｍａ２０００などのような無線技術を実現してもよい。ＵＴＲＡは、ワイドバンドＣＤＭＡ（ＷＣＤＭＡ）、および、ＣＤＭＡの他の変形を含んでいる。ｃｄｍａ２０００は、ＩＳ−２０００、ＩＳ−９５、およびＩＳ−８５６の標準規格をカバーしている。ＴＤＭＡネットワークは、グローバルシステムフォーモバイル通信（ＧＳＭ）（登録商標）のような無線技術を実現してもよい。ＯＦＤＭＡネットワークは、進化したＵＴＲＡ（Ｅ−ＵＴＲＡ）や、ウルトラモバイルブロードバンド（ＵＭＢ）や、ＩＥＥＥ８０２．１１（Ｗｉ−Ｆｉ（登録商標））や、ＩＥＥＥ８０２．１６（ＷｉＭＡＸ）や、ＩＥＥＥ８０２．２０や、フラッシュ−ＯＦＤＭなどのような無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥ−アドバンスド（ＬＴＥ−Ａ）は、Ｅ−ＵＴＲＡを使用する新たなリリースのＵＭＴＳであり、ダウンリンク上ではＯＦＤＭＡを用い、アップリンク上ではＳＣ−ＦＤＭＡを用いる。ＵＴＲＡ、Ｅ−ＵＴＲＡ、ＵＭＴＳ、ＬＴＥ、ＬＴＥ−Ａ、およびＧＳＭは、“第３世代パートナーシッププロジェクト”（３ＧＰＰ）と名付けられている機関による文書中に記述されている。ｃｄｍａ２０００およびＵＭＢは、“第３世代パートナーシッププロジェクト２”（３ＧＰＰ２）と名付けられている機関による文書中に記述されている。ここで記述する技術は、上述したワイヤレスネットワークおよび無線技術とともに、他のワイヤレスネットワークおよび無線技術に対して使用してもよい。明確にするために、本技術のある側面をＬＴＥに対して下記に記述しており、下記の多くの記述ではＬＴＥ専門用語を使用している。
【００１２】
図１は、ＬＴＥネットワークまたは他の何らかのワイヤレスネットワークであってもよい、ワイヤレス通信ネットワーク１００を示している。ワイヤレスネットワーク１００は、多数の進化ノードＢ（ｅＮＢ）１１０および他のネットワークエンティティを含んでいてもよい。ｅＮＢは、ＵＥと通信する局であり、基地局、ノードＢ、アクセスポイントなどとしても呼ばれることがある。各ｅＮＢ１１０は、特定の地理的エリアに対する通信カバレッジを提供してもよい。３ＧＰＰでは、“セル”という用語は、用語が使用される文脈に依存して、ｅＮＢのカバレッジエリアおよび／またはこのカバレッジエリアを担当しているｅＮＢサブシステムのことを指すことがある。
【００１３】
ｅＮＢは、マクロセル、ピコセル、フェムトセル、および／または他のタイプのセルに対する通信カバレッジを提供してもよい。マクロセルは、相対的に大きな地理的エリア（例えば、半径数キロメートル）をカバーしてもよく、サービス加入より、ＵＥによる制限されていないアクセスを可能にしてもよい。ピコセルは、相対的に小さい地理的エリアをカバーしてもよく、サービス加入より、ＵＥによる制限されていないアクセスを可能にしてもよい。フェムトセルは、相対的に小さい地理的エリア（例えば、ホーム）をカバーしてもよく、フェムトセルに関係しているＵＥ、例えば、閉じられた加入者グループ（ＣＳＧ）中のＵＥによる、制限されているアクセスを可能にしてもよい。図１中に示している例では、ｅＮＢ１１０ａ、１１０ｂ、および１１０ｃは、それぞれ、マクロセル１０２ａ、１０２ｂ、および１０２ｃに対するマクロｅＮＢであってもよい。ｅＮＢ１１０ｘは、ピコセル１０２ｘに対するピコｅＮＢであってもよい。ｅＮＢ１１０ｙは、フェムトセル１０２ｙに対するフェムトｅＮＢであってもよい。ｅＮＢは、１つまたは複数の（例えば、３つの）セルをサポートしてもよい。
【００１４】
ワイヤレスネットワーク１００は、同じタイプのｅＮＢ、例えば、マクロｅＮＢのみまたはフェムトｅＮＢのみ、を含む同種ネットワークであってもよい。ワイヤレスネットワーク１００はまた、異なるタイプのｅＮＢ、例えば、マクロｅＮＢ、ピコｅＮＢ、フェムトｅＮＢなど、を含む異種ネットワークであってもよい。これらの異なるタイプのｅＮＢは、ワイヤレスネットワーク１００において、異なる送信電力レベル、異なるカバレッジエリア、および、干渉における異なる影響を有しているかもしれない。例えば、マクロｅＮＢは、高い送信電力レベル（例えば、２０ワット）も有していてもよい一方で、ピコｅＮＢおよびフェムトｅＮＢは、低い送信電力レベル（例えば、１ワット）を有していてもよい。
【００１５】
ワイヤレスネットワーク１００は、同期ネットワークまたは非同期ネットワークであってもよい。同期ネットワークにおいて、ｅＮＢは、類似したフレームタイミングを有していてもよく、異なるｅＮＢからの送信は、時間でおおよそ整列されている。非同期ネットワークにおいて、ｅＮＢは、異なるフレームタイミングを有していてもよく、異なるｅＮＢからの送信は、時間で整列されていない。ここで記述した技術は、同期ネットワークおよび非同期ネットワークの双方に対して利用することができる。
【００１６】
ネットワーク制御装置１３０は、ｅＮＢのセットに結合されていてもよく、これらのｅＮＢに対する調整および制御を提供してもよい。ネットワーク制御装置１３０は、バックホールを介してｅＮＢと通信してもよい。ｅＮＢ１１０はまた、例えば、ワイヤレスバックホールまたはワイヤーラインバックホールを介して、直接的にまたは間接的に、互いに通信してもよい。
【００１７】
ＵＥ１２０は、ワイヤレスネットワーク１００全体を通して分散されていてもよく、各ＵＥは、静的なものまたは移動性のものであってもよい。ＵＥは、端末、移動局、加入者ユニット、局などとして呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局などであってもよい。ＵＥは、マクロｅＮＢ、ピコｅＮＢ、フェムトｅＮＢなどと通信することができる。図１では、両端矢印を持つ実線は、ＵＥと担当ｅＮＢとの間の所望の送信を示しており、この担当ｅＮＢは、ダウンリンクおよび／またはアップリンク上のＵＥを担当するように指定されているｅＮＢである。両端矢印を持つ破線は、ＵＥと隣接ｅＮＢとの間の干渉送信を示している。
【００１８】
ＵＥは、複数のｅＮＢのカバレッジ内にあってもよい。これらのｅＮＢのうちの１つを、ＵＥを担当するために選択してもよい。受信電力、パス損失、信号対ノイズ比（ＳＮＲ）などのような、さまざまな基準に基づいて、担当ｅＮＢを選択してもよい。
【００１９】
ＵＥは、支配的な干渉シナリオにおいて動作してもよい。支配的な干渉シナリオにおいて、ＵＥは、１つ以上の隣接ｅＮＢから高干渉を観測するかもしれず、および／または、１つ以上の隣接ｅＮＢに対する高干渉を起こすかもしれない。支配的な干渉シナリオは、制限された関係のために起こることがある。例えば、図１中では、ＵＥ１２０ｙは、フェムトｅＮＢ１１０ｙに接近しているかもしれず、ｅＮＢ１１０ｙに対して高い受信電力を有しているかもしれない。しかしながら、ＵＥ１２０ｙは、制限された関係のために、フェムトｅＮＢ１１０ｙにアクセスできないかもしれず、低い受信電力でマクロｅＮＢ１１０ｃと接続するかもしれない。ＵＥ１２０ｙは、その後、ダウンリンク上で、フェムトｅＮＢ１１０ｙからの高干渉を観測するかもしれず、また、アップリンク上で、ｅＮＢ１１０ｙに対する高干渉を起こすかもしれない。
【００２０】
支配的な干渉シナリオはまた、範囲拡張のために起こることがある。これは、ＵＥにより検出されたすべてのｅＮＢ間で、より低いパス損失およびより低いＳＮＲを有するｅＮＢとＵＥが接続するシナリオである。例えば、図１中で、ＵＥ１２０ｘは、マクロｅＮＢ１１０ｂおよびピコｅＮＢ１１０ｘを検出するかもしれず、ｅＮＢ１１０ｘに対して、ｅＮＢ１１０ｂよりも低い受信電力を有するかもしれない。それにもかかわらず、ｅＮＢ１１０ｘに対するパス損失が、マクロｅＮＢ１１０ｂに対するパス損失より低い場合、ＵＥ１２０ｘがピコｅＮＢ１１０ｘに接続することが望ましいかもしれない。これにより、結果として、ＵＥ１２０ｘの所定のデータレートに対する、ワイヤレスネットワークへの干渉がより少なくなる。
【００２１】
側面において、高干渉が存在する通信をサポートするために、電力決定パイロット（ＰＤＰ）を使用してもよい。電力決定パイロットは、電力決定パイロットチャネル（ＰＤＰＩＣＨ）、電力決定パイロットインジケータチャネル、電力決定基準信号、リソース品質インジケータ基準信号（ＲＱＩ−ＲＳ）などとしても呼ばれることがある。パイロットは、送信機および受信機によりアプリオリとして知られている送信であり、基準信号、トレーニングなどとして呼ばれることがある。電力決定パイロットは、後続する時間−周波数リソース上で使用することになる送信電力レベルを示しているパイロットである。送信機は、電力決定パイロットを送信して、後続する時間−周波数リソース上でこれが使用するだろう送信電力レベルを示してもよい。受信機は、送信機のセットから電力決定パイロットを受信してもよく、受信機が後続する時間−周波数リソース上で予期できるＳＮＲ（すなわち、チャネルおよび干渉条件）を推定してもよい。後続する時間−周波数リソース上での、受信機に対するデータ送信のためのデータレートを選択するために、推定したＳＮＲを使用してもよい。
【００２２】
図２は、電力決定パイロットを使用するダウンリンクデータ送信スキーム２００の設計を示している。担当ｅＮＢは、ＵＥに送るデータを有していてもよく、ＵＥがダウンリンク上の高干渉を観測しているという知識を有していてもよい。例えば、担当ｅＮＢは、ＵＥからパイロット測定報告を受信してもよく、報告は、ＵＥに対する強い隣接ｅＮＢを示してもよく、および／または、識別してもよい。担当ｅＮＢは、時間Ｔ0において、ＰＤＰトリガをＵＥに送ってもよい。ＵＥは、ＰＤＰトリガを受信してもよく、応答として、時間Ｔ1において、隣接ｅＮＢに電力決定パイロットを送信するように依頼するためのＰＤＰ要求を送ってもよい。ＰＤＰトリガおよび／またはＰＤＰ要求は、トリガまたは要求の優先度、ＵＥに対するターゲット干渉レベル、および／または、他の情報を伝えてもよい。
【００２３】
隣接ｅＮＢは、ＵＥからＰＤＰ要求を受信する。隣接ｅＮＢは、後続する時間−周波数リソース上でこれが使用するだろう送信電力レベルＰDATAを、これのバッファステータス、ＰＤＰ要求の優先度、ターゲット干渉レベルなどのような、さまざまな要因に基づいて決定してもよい。隣接ｅＮＢは、時間Ｔ2において、ＰPDPの電力レベルで、電力決定パイロットを送信してもよい。ＰPDPは、ＰDATAに等しくてもよく、または、ＰDATAのスケーリングされたバージョンであってもよい。
【００２４】
担当ｅＮＢは、（例えば、固定送信電力レベルで）パイロットを送信してもよく、このパイロットは、担当ｅＮＢからのダウンリンクに対するチャネル条件を推定するために、ＵＥにより使用してもよい。簡略化のために図２中に示されてはいないが、担当ｅＮＢはまた、電力決定パイロットを送信してもよく、この電力決定パイロットは、担当ｅＮＢからのダウンリンク上のチャネル条件を推定するために、ＵＥにより使用してもよい。
【００２５】
ＵＥは、すべての隣接ｅＮＢからの電力決定パイロットとともに、担当ｅＮＢからのパイロットを受信してもよい。ＵＥは、受信したパイロットに基づいて、ＳＮＲを推定してもよい。電力決定パイロットは、ＵＥがより正確にＳＮＲを推定すること可能にする。ＵＥは、チャネル品質インジケータ（ＣＱＩ）を決定してもよく、このＣＱＩは、１つ以上のＳＮＲ推定、１つ以上のデータレート、１つ以上の変調およびコーディングスキーム（ＭＣＳ）などを含んでいてもよい。ＵＥは、時間Ｔ3において、ＣＱＩを担当ｅＮＢに送ってもよい。
【００２６】
担当ｅＮＢは、ＵＥからＣＱＩを受信してもよく、割り当てられたリソース上のデータ送信に対して、ＵＥをスケジューリングしてもよく、この割り当てられたリソースは、隣接ｅＮＢからの電力決定パイロットによりカバーされるリソースの、すべてのまたはサブセットを含んでいてもよい。担当ｅＮＢは、その後、時間Ｔ4において、報告されたＣＱＩにしたがって、ダウンリンク（ＤＬ）認可およびデータ送信をＵＥに送ってもよい。ＵＥは、担当ｅＮＢからのデータ送信を受信してデコードしてもよい。ＵＥは、時間Ｔ5において、データ送信が正しくデコードされた場合、肯定応答（ＡＣＫ）を送り、データ送信が誤ってデコードされた場合、否定応答（ＮＡＣＫ）を送ってもよい。
【００２７】
図２中に示されている設計では、担当ｅＮＢは、ＰＤＰトリガを送信して、隣接ｅＮＢによる電力決定パイロットの送信を開始させる。別の設計では、ＵＥは、ＰＤＰ要求を送信して、隣接ｅＮＢによる電力決定パイロットの送信を開始させてもよい。電力決定パイロットはまた、他の方法で送信してもよい。例えば、ｅＮＢは、何らかのトリガまたは要求なしで、電力決定パイロットを定期的に送信してもよい。
【００２８】
１つの設計では、担当ｅＮＢは、ダウンリンクに対する１つのインターレースのサブフレーム中で、ＰＤＰトリガ、パイロット、およびデータを送信してもよい。このインターレースは、Ｑ個のサブフレームだけ間隔をあけて離されているサブフレームを含んでいてもよく、ここで、Ｑは、４，６，８、または他のいくつかの値に等しい。ＵＥは、アップリンクに対する１つのインターレースのサブフレーム中で、ＰＤＰ要求、ＣＱＩ、およびＡＣＫ／ＮＡＣＫを送信してもよい。この設計は、データおよびフィードバックの情報の送信を簡略化することができる。別の設計では、予め定められたサブフレームまたは構成可能なサブフレーム中で、さまざまな送信を送ってもよい。
【００２９】
図３は、電力決定パイロットを使用するアップリンクデータ送信スキーム３００の設計を示している。ＵＥは、担当ｅＮＢに送るためのデータを有していてもよく、時間Ｔ0においてリソース要求を送信してもよい。担当ｅＮＢは、他のＵＥからの高干渉を観測しているかもしれず、時間Ｔ1において、電力決定パイロットを送信するように他のＵＥに依頼するためのＰＤＰ要求を送ってもよい。ＵＥはまた、隣接ｅＮＢからＰＤＰ要求を受信してもよい。各ＵＥは、１つ以上のｅＮＢから受信した１つ以上のＰＤＰ要求に応答して、後続する時間−周波数リソース上でこれが使用できる送信電力決定レベルを決定してもよい。各ＵＥは、時間Ｔ2において、電力決定パイロットを送信してもよく、この電力決定パイロットは、後続する時間−周波数リソース上でＵＥが使用できる送信電力レベルを示していてもよい。
【００３０】
担当ｅＮＢは、ＵＥからとともに、他のＵＥから電力決定パイロットを受信してもよい。担当ｅＮＢは、受信した電力決定パイロットに基づいて、ＳＮＲを推定してもよい。担当ｅＮＢは、割り当てられたリソースと、選択されたＭＣＳと、割り当てられたリソースなどの上で使用するための送信電力レベルとなどを含んでいてもよいアップリンク認可を発生させてもよい。担当ｅＮＢは、時間Ｔ3において、アップリンク認可をＵＥに送ってもよい。ＵＥは、アップリンク認可を受信してもよく、時間Ｔ4において、アップリンク認可にしたがってデータ送信を送ってもよい。担当ｅＮＢは、ＵＥからの送信を受信してデコードしてもよく、時間Ｔ5において、デコーディング結果に基づいて、ＡＣＫまたはＮＡＣＫを送ってもよい。
【００３１】
１つの設計では、担当ｅＮＢは、ダウンリンクに対する１つのインターレースのサブフレーム中で、ＰＤＰ要求、アップリンク認可、および、ＡＣＫ／ＮＡＣＫを送信してもよい。ＵＥは、アップリンクに対する１つのインターレースのサブフレーム中で、リソース要求、電力決定パイロット、およびデータを送信してもよい。この設計は、データおよびフィードバックの情報の送信を簡略化することができる。別の設計では、予め定められたサブフレームまたは構成可能なサブフレーム中で、さまざまな送信を送ってもよい。
【００３２】
図２中で示したように、ダウンリンク上のデータ送信をサポートするために、電力決定パイロットをｅＮＢにより送信してもよい。図３中で示したように、アップリンク上のデータ送信をサポートするために、電力決定パイロットをＵＥにより送信してもよい。１つの設計では、ＰＤＰ要求に応答して、電力決定パイロットを送信してもよい。別の設計では、構成にしたがって、電力決定パイロットを送信してもよく、この構成は、いつ、どこで、何度電力決定パイロットを送信するかを指定してもよい。下記に記述するように、さまざまな方法で、電力決定パイロットを送信してもよい。
【００３３】
ＬＴＥは、ダウンリンク上で直交周波数分割多重化（ＯＦＤＭ）を利用し、アップリンク上で単一搬送波周波数分割多重化（ＳＣ−ＦＤＭ）を利用する。ＯＦＤＭおよびＳＣ−ＦＤＭは、周波数範囲を複数の（ＮFFT個の）直交副搬送波に区分し、これらの直交副搬送波は、通常、トーン、ビンなどとしても呼ばれる。各副搬送波は、データにより変調されてもよい。一般的に、変調シンボルは、ＯＦＤＭによる周波数ドメイン中で、および、ＳＣ−ＦＤＭによる時間ドメイン中で送られる。近接する副搬送波間でのスペーシングは固定であってもよく、副搬送波の総数（ＮFFT個）は、システム帯域幅に依存していてもよい。例えば、ＮFFTは、１．２５、２．５、５、１０、または２０メガヘルツ（ＭＨｚ）のシステム帯域幅に対して、それぞれ、１２８、２５６、５１２、１０２４、または２０４８に等しい。
【００３４】
図４は、ＬＴＥにおける周波数分割多重化（ＦＤＤ）に対して使用するフレームストラクチャ４００を示している。ダウンリンクおよびアップリンクのそれぞれに対する送信時間ラインは、無線フレームのユニットに区分してもよい。各無線フレームは、予め定められた期間（例えば、１０ミリ秒（ｍｓ））を有していてもよく、０ないし９のインデックスを持つ１０個のサブフレームに区分してもよい。各サブフレームは、２個のスロットを含んでいてもよい。各無線フレームは、したがって、０ないし１９のインデックスを持つ２０個のスロットを含んでいてもよい。各スロットは、Ｌ個のシンボル期間、例えば、（図４中で示されているように）通常サイクリックプリフィックスに対して７個のシンボル期間、または、拡張サイクリックプリフィックスに対して６個のシンボル期間を含んでいてもよい。各サブフレーム中の２Ｌ個のシンボル期間に、０ないし２Ｌ−１のインデックスが割り当てられていてもよい。ダウンリンク上で、サブフレームの各シンボル期間中で、ＯＦＤＭＡシンボルを送ってもよい。アップリンク上で、サブフレームの各シンボル期間中で、ＳＣ−ＦＤＭＡシンボルを送ってもよい。
【００３５】
ＬＴＥにおけるダウンリンク上で、ｅＮＢは、ｅＮＢによって担当する各セルに対して、システム帯域幅の中心１．０８ＭＨｚ中で、１次同期信号（ＰＳＳ）および２次同期信号（ＳＳＳ）を送信してもよい。図４中に示されているように、ＰＳＳおよびＳＳＳは、それぞれ、通常サイクリックプリフィックスを持つ各無線フレームのサブフレーム０および５におけるシンボル期間６および５中で送信してもよい。ＰＳＳおよびＳＳＳは、セル獲得のためにＵＥにより使用してもよい。ｅＮＢは、ある無線フレーム中のサブフレーム０のスロット１におけるシンボル期間０から３中で、物理ブロードキャストチャネル（ＰＢＣＨ）を送信してもよい。ＰＢＣＨは、いくつかのシステム情報を伝送してもよい。
【００３６】
ｅＮＢは、ＯＦＤＭＡによるダウンリンク上で、１個以上の電力決定パイロットを送信してもよい。いくつかの時間−周波数リソースを、電力決定パイロットを送信するために選択してもよく、時間および周波数にわたって分配してもよい。選択された時間−周波数リソース上で送信された電力決定パイロットにより、ＯＦＤＭＡシンボルを発生させてもよい。
【００３７】
図５は、ＯＦＤＭＡにより、ダウンリンク上で、１個以上の電力決定パイロットを送信する設計を示している。ダウンリンクに対する利用可能な時間周波数リソースは、リソースブロックに区分してもよい。リソースブロックは、１個のスロット中の１２個の副搬送波をカバーしてもよく、リソースブロックの対は、１個のサブフレーム中の１２個の副搬送波をカバーしてもよい。各リソースブロックは、多数のリソースエレメントを含んでいてもよい。各リソースエレメントは、１個のＯＦＤＭＡシンボル期間中の１個の副搬送波をカバーしてもよく、実数値または複素数値であってもよい１個の変調シンボルを送るために使用されてもよい。
【００３８】
１つの設計では、あるリソースブロックは、１つ以上の電力決定パイロットを送信するために使用してもよく、選択したリソースブロックとして呼ばれることがある。選択したリソースブロックは、Ｋ個のサブフレームだけ間隔をあけて離されているサブフレーム中に位置付けられていてもよく、ここで、Ｋは、１以上である。Ｋは、ワイヤレスチャネルにおける時間変動に基づいて選択してもよい。より小さいＫの値は、高い時間変動に対して使用してもよく、より大きいＫの値は、低い時間変動に対して使用してもよい。
【００３９】
選択したリソースブロックは、ワイヤレスチャネル中の周波数変動を捕捉するために、周波数にわたって複数のセットの副搬送波を占有してもよい。１つの設計では、図５中で示されているように、例えば、選択したリソースブロックは、異なるサブフレーム中の異なるセットの副搬送波を占有してもよい。これらの異なるセットの副搬送波は、スタガリング／ホッピングのパターンに基づいて選択してもよい。別の設計では、（図５では示されていないが）選択したリソースブロックは、サブフレームにわたって同じセットの副搬送波を占有してもよい。
【００４０】
一般的に、正確なＳＮＲ推定を可能にする一方で、電力決定パイロットによるオーバーヘッドを減少させるために、電力決定パイロットを送信するのに十分な数のリソースエレメントを使用することができる。選択したリソースエレメントは、ワイヤレスチャネル中の時間および周波数変動を捕捉するために、時間および周波数にわたって分配してもよい。選択したリソースエレメントは、あるシンボル期間中に、または、あるスロット中に、または、あるサブフレーム中などに位置付けられていてもよい。選択したリソースエレメントは、周波数にわたってずれていてもよく（これは、同期ネットワークにおける性能を向上させるかもしれない）、または、周波数にわたって固定であってもよい（これは、非同期ネットワークにおいてより望ましいかもしれない）。電力決定パイロットは、さまざまな方法で選択してもよいリソースエレメントのセット上で、送信してもよい。
【００４１】
図６Ａは、ＯＦＤＭＡにより、リソースブロックの対中で、ダウンリンク上で電力決定パイロットを送信するためのサブフレームフォーマット６１０の設計を示している。図６Ａ中で示されているように、サブフレームは、データゾーンが後続する制御ゾーンを含んでいてもよい。制御ゾーンは、サブフレームの最初のＭ個のＯＦＤＭＡシンボル期間を含んでいてもよく、ここで、Ｍは、一般的に、１、２、３、または４に等しく、図６Ａ中では、Ｍ＝３である。Ｍは、サブフレーム毎に変化してもよい。制御情報は、最初のＭ個のＯＦＤＭＡシンボル中で送信してもよい。データゾーンは、サブフレームの残りの２Ｌ−Ｍ個のＯＦＤＭＡシンボル期間を含んでいてもよく、ＵＥに対するデータを伝送してもよい。
【００４２】
図６Ａ中のサブフレームフォーマット６１０は、２本のアンテナを装備しているｅＮＢにより使用してもよい。セル特有の基準信号は、シンボル期間０、４、７、および１１中の、いくつかのリソースエレメント上で送信してもよく、チャネル推定および他の測定のために、ＵＥにより使用してもよい。電力決定パイロットは、リソースエレメントのセット上で送信してもよく、リソースエレメントのセットは、セル特有の基準信号に対して使用しないデータゾーン中のリソースエレメントの中から選択してもよい。図６Ａ中で示されている設計では、リソースエレメントのセットは、シンボル期間３および８におけるリソースブロック対中のすべてのリソースエレメントを含む。この設計により、高い周波数変動および低い時間変動を捕捉することができる。
【００４３】
図６Ｂは、ＯＦＤＭＡにより、リソースブロックの対中で、ダウンリンク上で電力決定パイロットを送信するためのサブフレームフォーマット６２０の設計を示している。図６Ｂ中で示されている設計では、電力決定パイロットに対して使用されるリソースエレメントのセットは、シンボル期間３、６、９、および１２におけるリソースブロック対中の３個毎のリソースエレメントを含む。この設計により、適度な周波数変動および適度な時間変動を捕捉することができる。
【００４４】
図６Ａおよび６Ｂは、サブフレーム中のリソースブロックの対上で電力決定パイロットを送信するための２つの例示的な設計を示している。電力決定パイロットを送信するために使用するリソースエレメントはまた、他のパターンに基づいて選択してもよい。一般的に、周波数変動を補捉するために、周波数にわたってより多くのリソースエレメントを選択してもよく、時間変動を捕捉するために、時間にわたってより多くのリソースエレメントを選択してもよい。電力決定パイロットに対して使用するリソースエレメントの数は、ＳＮＲの正確度とパイロットオーバーヘッドとの間のトレードオフに基づいて、選択してもよい。電力決定パイロットに対して使用する特定のリソースエレメントは、データを送信するのに利用可能なリソースエレメントの中から選択してもよく、これにより、電力決定パイロットによる影響を減少させることができる。電力決定パイロットに対して使用するリソースエレメントは、制御ゾーン、セル特有の基準信号、ＰＳＳおよびＳＳＳ、ならびに、他の制御チャネルや基準信号を避けてもよい。
【００４５】
さまざまな方法で、リソースエレメントのセット上で電力決定パイロットを送信してもよい。１つの設計では、擬似ランダムシーケンスに基づいて、変調シンボルのシーケンスを発生させてもよい。別の設計では、フラットスペクトル応答およびゼロ自己相関を有するＣＡＺＡＣ（一定振幅ゼロ自己相関）シーケンスに基づいて、変調シンボルのシーケンスを発生させてもよい。いくつかの例示的なＣＡＺＡＣシーケンスは、Ｚａｄｏｆｆ−Ｃｈｕシーケンス、Ｃｈｕシーケンス、Ｆｒａｎｋシーケンス、一般化されたチャープ状（ＧＣＬ）シーケンスなどを含む。双方の設計において、電力決定パイロットを送信するために使用するリソースエレメントに、シーケンス中の変調シンボルをマッピングしてもよい。（ｉ）電力決定パイロットを送信するために使用するリソースエレメントにマッピングされた電力決定パイロットに対する変調シンボルにより、ならびに、（ｉｉ）他の変調シンボル、および／または、他のリソースエレメントにマッピングされたゼロの信号値を持つゼロのシンボルにより、ＯＦＤＭＡシンボルを発生させてもよい。１つの設計では、変調シンボルのシーケンスは、電力決定パイロットの送信機を一意的に識別してもよく、および／または、他の情報を伝えてよい。受信機は、送信機の識別子を知っていてもよく、送信機と同じ方法で、変調シンボルのシーケンスを発生させることが可能であってもよい。
【００４６】
１つの設計では、異なるｅＮＢが、同じ時間−周波数リソース上で、例えば、リソースエレメントの同じセット上で、これらの電力決定パイロットを送信してもよい。そうすると、異なるｅＮＢからの電力決定パイロットが、互いにオーバーラップすることになり、これにより、ＵＥによるＳＮＲ推定を簡略化することができる。さらに、ｅＮＢが、後続する時間−周波数リソース上でデータを送信しない場合、ｅＮＢは、時間−周波数リソース上でその電力決定パイロットを送信することをスキップしてもよい。ＵＥは、同じ時間−周波数リソース上で、すべての電力決定パイロットを受信することができ、後続する時間−周波数リソース上で送信するすべてのｅＮＢからの電力決定パイロットを測定することができる。別の設計では、異なるｅＮＢが、異なる時間−周波数リソース上で、それらの電力決定パイロットを送信してもよい。この設計は、非同期ネットワークに対して特に適用可能であり、および／または、他の理由に対して使用してもよい。
【００４７】
１つの設計では、電力決定パイロットに対する送信電力レベルは、ＰPDP＝ＰDATAになるように、後続する時間−周波数リソース上のデータ送信に対する送信電力レベルに等しく設定してもよい。この設計は、ＵＥによるＳＮＲ推定を簡略化することができる。この設計はまた、ｅＮＢが、後続する時間−周波数リソース上で送信しないことを示すために、ｅＮＢが、電力決定パイロットを送信することをスキップする（すなわち、ゼロ送信電力において電力決定パイロットを送信するのと同等）ことを可能にする。別の設計では、電力決定パイロットに対する送信電力レベルが、ＰPDP＝α×ＰDATAになるように、データ送信に対する送信電力レベルのスケーリングされたバージョンと等しく設定していてもよく、ここで、αは、ｅＮＢおよびＵＥの双方により知られていてもよいスケーリングファクタである。さらに別の設計では、固定の電力レベルで電力決定パイロットを送信してもよく、電力決定パイロット中で送られた情報により、データ送信に対する送信電力レベルが伝えられてもよい。
【００４８】
１つの設計では、ｅＮＢは単一電力決定パイロットを送信して、将来のサブフレーム中のシステム帯域幅全体にわたるデータ送信に対してｅＮＢが使用するだろう送信電力レベルを示してもよい。ｅＮＢは、例えば、図５中で示したように、周波数にわたって、この電力決定パイロットを送信してもよい。
【００４９】
図７Ａは、異なる副帯域に対して、複数の電力決定パイロットを送信する設計を示している。システム帯域幅は、１ないしＳのインデックスが割り当てられているＳ個の副帯域に区分されており、ここで、Ｓは１以上である。各副帯域は、１．０８ＭＨｚまたは他のいくつかの周波数の範囲をカバーしてもよい。１つの設計では、ｅＮＢは、Ｓ個の副帯域のそれぞれの上で送信決定パイロットを送信してもよい。この設計では、副帯域ｓ上で送信した電力決定パイロットは、将来のサブフレーム中での副帯域ｓ上のデータ送信に対してｅＮＢが使用するだろう送信電力レベルを示してもよく、ここで、ｓ∈{１、...、Ｓ}である。別の設計では、ｅＮＢは、Ｓ個の副帯域のサブセットのみ上で電力決定パイロットを送信してもよい。この設計では、所定の副帯域上の電力決定パイロットは、この副帯域上とともに、１つ以上の他の副帯域上のデータ送信に対して、ｅＮＢが使用するだろう送信電力レベルを示してもよい。
【００５０】
図７Ｂは、異なる副帯域に対する複数の電力決定パイロットを送信する別の設計を示している。この設計では、ｅＮＢは、指定されている副帯域上で、すべての副帯域に対する電力決定パイロットを送信してもよく、この指定されている副帯域は、（図７Ｂ中で示されているような）副帯域１、または、他の何らかの副帯域であってもよい。各電力決定パイロットは、その電力決定パイロットに関係する１つ以上の副帯域上のデータ送信に対してｅＮＢが使用するだろう送信電力レベルを示していてもよい。
【００５１】
図７Ｃは、異なるサブフレームに対する複数の電力決定パイロットを送信する設計を示している。この設計では、ｅＮＢは、複数の電力決定パイロットを送信して、異なるサブフレーム中のデータ送信に対してこれが使用するだろう送信電力レベルを示してもよい。例えば、ｅＮＢは、サブフレームｔ中で、複数の電力決定パイロットを送信してもよい。１個の電力決定パイロットは、サブフレームｔ＋Ｑ中のデータ送信に対してｅＮＢが使用するだろう送信電力レベルを示してもよく、別の電力決定パイロットは、サブフレームｔ＋Ｑ＋１中のデータ送信に対してｅＮＢが使用するだろう送信電力レベルを示してもよい、などであり、ここで、Ｑは１以上である。
【００５２】
図７Ａおよび７Ｂ中の設計により、周波数にわたってより細かい分解能で、将来のデータ送信に対してｅＮＢが使用するだろう送信電力レベルを、ｅＮＢが伝えることが可能になる。図７Ｃ中の設計により、時間にわたってより細かい分解能で、将来のデータ送信に対してｅＮＢが使用するだろう送信電力レベルを、ｅＮＢが伝えることが可能になる。
【００５３】
一般的に、ｅＮＢは、複数の電力決定パイロットを送信して、後続する時間−周波数リソースの異なるセット上のデータ送信に対してｅＮＢが使用するだろう送信電力レベルを示してもよく、このデータ送信は、異なる副帯域中のものであっても、および／または、異なるサブフレーム中のものであってもよい。例えば、図７Ａ、７Ｂ、または７Ｃ中で示したように、ｅＮＢは、さまざまな方法で、これらの電力決定パイロットを送信してもよい。１つの設計では、ｅＮＢは、同じリソースブロック中の異なるセットのリソースエレメント上で、複数の電力決定パイロットを送信してもよい。この設計は、電力決定パイロットに対して使用するリソースブロックの数を減少させるかもしれず、これによって、データ送信に対して利用可能ではないリソースブロックの数を減少させるかもしれない。別の設計では、ｅＮＢは、異なるリソースブロック中の異なるセットのリソースエレメント上で、複数の電力決定パイロットを送信してもよい。さらに別の設計では、ｅＮＢは、同じセットのリソースエレメント上で、複数の電力決定パイロットを送信してもよく、電力決定パイロットは、異なるスクランブリングコードにより識別してもよい。
【００５４】
ＵＥは、ＳＣ−ＦＤＭＡにより、アップリンク上で、１つ以上の電力決定パイロットを送信してもよい。電力送信パイロットを送信するために、いくつかの時間−周波数リソースを選択してもよい。選択した時間−周波数リソース上で送信される電力決定パイロットにより、ＳＣ−ＦＤＭＡシンボルを発生させてもよい。
【００５５】
上記で留意したように、変調シンボルは、ＳＣ−ＦＤＭＡにより、時間ドメイン中で送信してもよい。所定のＳＣ−ＦＤＭＡシンボル期間中に、（ｉ）Ｎ個の変調シンボル上でＮポイント離散フーリエ変換（ＤＦＴ）を実行して、Ｎ個の周波数−ドメインシンボルを取得し、ここで、Ｎは、ＬＴＥに対して１２の整数倍数であることと、（ｉｉ）Ｎ個の周波数ドメインシンボルを、送信に対して使用するＮ個の副搬送波にマッピングすることと、（ｉｉｉ）ゼロのシンボルを残りの副搬送波にマッピングすることと、（ｉｖ）ＮFFT個の副搬送波に対するＮFFT個のマッピングされたシンボル上で、ＮFFTポイント逆高速フーリエ変換（ＩＦＦＴ）を実行し、ＮFFT個の時間−ドメインサンプルを取得することと、（ｖ）ＮFFT個のサンプルにサイクリックプリフィックスを付加して、ＳＣ−ＦＤＭＡシンボルを得ることとにより、Ｎ個の副搬送波上でＮ個の変調シンボルを送ってもよい。ＳＣ−ＦＤＭＡ波形に対する、より低いピーク対平均電力比（ＰＡＰＲ）を取得するために、Ｎ個の連続する副搬送波上で、変調シンボルを送信することが望ましいかもしれない。
【００５６】
図８は、ＳＣ−ＦＤＭＡにより、１個のリソースブロック中で、アップリンク上で電力決定パイロットを送信する設計を示している。２次元ブロック８００は、ＳＣ−ＦＤＭＡによる１個のリソースブロックに対して利用可能な時間−周波数リソースを示すために使用している。水平軸は、時間を表してもよく、ＳＣ−ＦＤＭＡシンボル期間のユニットに区分されている。垂直軸もまた、時間を表してもよく、シンボル位置のユニットに区分されている。１２個のシンボル位置が、１個のリソースブロックに対して利用可能であってもよく、０ないし１１のインデックスが割り当てられている。ブロック８００は、多数のリソースユニットを含んでいてもよい。各リソースユニットは、１個のＳＣ−ＦＤＭＡシンボル期間中の１個のシンボル位置をカバーしてもよく、１個の変調シンボルを送るのに使用してもよい。
【００５７】
電力決定パイロットは、１つ以上のリソースブロック中のリソースユニットのセット上で送信してもよい。図８中に示されている設計では、各ＳＣ−ＦＤＭＡシンボル期間中に、電力決定パイロットを送信する。別の設計では、スロットにおけるいくつかのＳＣ−ＦＤＭＡシンボル期間中においてのみ、電力決定パイロットを送信してもよい。
【００５８】
１つの設計では、電力決定パイロットを送信する各ＳＣ−ＦＤＭＡシンボル期間中で利用可能なリソースユニットの、予め定められた割合またはパーセンテージにおいて、電力決定パイロットを送信してもよい。この予め定められた割合は、ｐとして示してもよく、０および１の間、すなわち、０＜ｐ≦１であってもよい。図８中に示されている例では、ｐ＝１／６であり、各ＳＣ−ＦＤＭＡシンボル期間における１２個のリソースユニットのうちの２個のリソースユニット中で、電力決定パイロットを送信してもよい。
【００５９】
１つの設計では、ＳＣ−ＦＤＭＡシンボル期間にわたって同じシンボル位置中で、例えば、図８中に示されている例に対する各ＳＣ−ＦＤＭＡシンボル期間におけるシンボル位置１０および１１中で、電力決定パイロットを送信してもよい。別の設計では、ＳＣ−ＦＤＭＡシンボル期間にわたって異なるシンボル位置中で、電力決定パイロットを送信してもよい。この設計では、電力決定パイロットに対するシンボル位置は、スタガリング／ホッピングのパターンに基づいて選択してもよい。
【００６０】
一般的に、電力決定パイロットは、正確なＳＮＲ推定を可能にする一方で、パイロットオーバーヘッドを減少させるのに十分な数のリソースユニット中で、送信してもよい。ワイヤレスチャネル中の時間変動を捕捉するために、時間にわたって間隔があけられているＳＣ−ＦＤＭＡシンボル期間中で、電力決定パイロットを送信してもよい。シンボル位置にわたって、変調シンボルをにじませるかもしれないエイリアシングの影響を減少させるために、隣接するシンボル位置中で、電力決定パイロットを送信してもよい。
【００６１】
１つの設計では、異なるＵＥが、互いにオーバーラップするようにそれらの電力決定パイロットを送信してもよい。下記に記述するように、予め定められた同じ割合ｐで、利用可能なシンボル位置の同じ部分中に、その電力決定パイロットを各ＵＥに送信させることより、これを達成できる。
【００６２】
図９は、１個のＳＣ−ＦＤＭＡシンボル期間中で、４つのＵＥにより、アップリンク上で電力決定パイロットを送信する設計を示している。図８中で示した例では、ｐ＝１／３であり、各ＵＥは、ＳＣ−ＦＤＭＡシンボル期間において、そのＵＥに対して利用可能なシンボル位置の最後の１／３中で、その電力決定パイロットを送信してもよい。図９中で示されている例では、ＵＥ＃１には、０ないし４７のインデックスを持つ４８個のシンボル位置をカバーする４個のリソースブロックが割り振られている。ＵＥ＃２には、０ないし２３のインデックスを持つ２４個のシンボル位置をカバーする２個のリソースブロックが割り振られている。ＵＥ＃３には、０ないし１１のインデックスを持つ１２個のシンボル位置をカバーする１個のリソースブロックが割り振られている。ＵＥ＃４には、０ないし３５のインデックスを持つ３６個のシンボル位置をカバーする３個のリソースブロックが割り振られている。
【００６３】
図９中で示されている例では、ＵＥ＃１は、シンボル位置０ないし３１中でデータを送信し、シンボル位置３２ないし４７中で電力決定パイロットを送信する。ＵＥ＃２は、シンボル位置０ないし１５中でデータを送信し、シンボル位置１６ないし２３中で電力決定パイロットを送信する。ＵＥ＃３は、シンボル位置０ないし７中で何も送信せず、シンボル位置８ないし１１中で電力決定パイロットを送信する。ＵＥ＃４は、シンボル位置０ないし２３中でデータを送信し、シンボル位置２４ないし３５中では電力決定パイロットを送信しない。例えば、その理由は、ＵＥ＃４は、後続する時間−周波数リソース上で送信しないだろうからである。
【００６４】
図１０は、図９における４個のＵＥからの送信のプロットを示している。図１０では、水平軸は、時間を表し、１個のＳＣ−ＦＤＭＡシンボル期間をカバーしている。垂直軸は、送信電力を表している。図１０中で示されているように、ＵＥ＃１およびＵＥ＃２の双方は、ＳＣ−ＦＤＭＡシンボル期間の最初の２／３中で、データを送信し、ＳＣ−ＦＤＭＡシンボル期間の最後の１／３中で、それらの電力決定パイロットを送信する。ＵＥ＃３は、ＳＣ−ＦＤＭＡシンボル期間の最後の１／３において、その電力決定パイロットを送信する。ＵＥ＃４は、ＳＣ−ＦＤＭＡシンボル期間の最初の２／３中で、データを送信する。図１０中で示されているように、予め定められた同じ割合ｐで、ＳＣ−ＦＤＭＡシンボル期間中で利用可能なシンボル位置の同じ部分上で、電力決定パイロットを送信することにより、すべてのＵＥからの電力決定パイロットは、ＳＣ−ＦＤＭＡシンボル期間の最後の１／３中でオーバーラップする。
【００６５】
図９および１０は、ＵＥが電力決定パイロットに対して利用可能なシンボル位置の同じ割合ｐ＝１／３を使用し、さらに、隣接するシンボル位置中でそれらの電力決定パイロットを送信する設計を示している。この設計により、（例えば、図１０中で示されているように）結果として電力決定パイロットがオーバーラップすることになり、これにより、ＳＮＲ推定を簡略化することができる。一般的に、ＵＥは、利用可能なシンボル位置の、同じ割合または異なる割合により、それらの電力決定パイロットを送信してもよい。さらに、ＵＥは、隣接するシンボル位置または隣接していないシンボル位置中で、それらの電力決定パイロットを送信してもよい。
【００６６】
別の設計では、ＵＥは、時分割多重化（ＴＤＭ）により、データおよび電力決定パイロットを送信してもよい。この設計では、電力決定パイロットを送信するために、１個以上のＳＣ−ＦＤＭＡシンボル期間を使用してもよく、データおよび／または他の情報を送信するために、残りのＳＣ−ＦＤＭＡシンボル期間を使用してもよい。ＵＥは、電力決定パイロットを送信するために選択された各ＳＣ−ＦＤＭＡシンボル期間中で、すべての利用可能なリソースユニット上で電力決定パイロットを送信してもよい。
【００６７】
さらに別の設計では、ＵＥは、異なるセットの副搬送波上で、データおよび電力決定パイロットを送信してもよい。例えば、ＵＥは、データ送信に対して、第１の副帯域中の１個以上のリソースブロックが割り当てられて、第２の副帯域中の１個以上のリソースブロック上で電力決定パイロットを送信する必要があるかもしれない。ＵＥは、電力決定パイロットとデータを周波数分割多重化してもよい。ＵＥは、第１の副帯域中の第１のセットの副搬送波上のデータと第２の副帯域中の第２のセットの副搬送波上の電力決定パイロットとを含むＳＣ−ＦＤＭＡシンボルを発生させてよい。第１および第２のセットの副搬送波は隣接していないことから、ＵＥは、ＳＣ−ＦＤＭＡシンボルに対して単一搬送波波形を維持しないだろう。
【００６８】
ＵＥは、所定のＳＣ−ＦＤＭＡシンボル期間中で、複数の電力決定パイロットを送信してもよい。これらの電力決定パイロットは、ＵＥが、異なる副帯域上での、および／または、異なるサブフレーム中での、データ送信に対して使用するだろう送信電力レベルを示していてもよい。ＵＥは、さまざまな方法で、複数の電力決定パイロットを送信してもよい。
【００６９】
１つの設計では、ＵＥは、同じＳＣ−ＦＤＭＡシンボル期間において、異なるセットのシンボル位置中で、複数の電力決定パイロットを時分割多重化してもよい。例えば、ｐ＝１／３である場合、ＵＥは、最初の１／３のシンボル位置中で第１の電力決定パイロットを送信し、次の１／３のシンボル位置中で第２の電力決定パイロットを送信してもよい、など。この設計により、ＵＥが、例えば、図７Ｂ中で示したように、異なる副帯域に対する、および／または、異なるサブフレームに対する、複数の電力決定パイロットを単一の副帯域中で送信することが可能になる。この設計により、ＵＥが単一搬送波波形を維持することが可能になる。
【００７０】
別の設計では、ＵＥは、異なるＳＣ−ＦＤＭＡシンボル期間中で、複数の電力決定パイロットを時分割多重化してもよい。例えば、ＵＥは、スロットまたはサブフレームの第１のＳＣ−ＦＤＭＡシンボル期間中で、第１の電力決定パイロットを送信し、スロットまたはサブフレームの第２のＳＣ−ＦＤＭＡシンボル期間中で、第２の電力決定パイロットを送信してもよい、など。この設計により、ＵＥが、異なる副帯域に対する、および／または、異なるサブフレームに対する、複数の電力決定パイロットを単一の副帯域中で送信することが可能になる。
【００７１】
さらに別の設計では、ＵＥは、例えば異なる副帯域中の異なるセットの副搬送波上で、複数の電力決定パイロットを周波数分割多重化してもよい。例えば、図７Ａ中で示したように、ＵＥは、第１の副帯域中の第１のセットの副搬送波上で、第１の電力決定パイロットを送信し、第２の副帯域中の第２のセットの副搬送波上で、第２の電力決定パイロットを送信してもよい、など。ＵＥは、ＳＣ−ＦＤＭＡまたはＯＦＤＭＡを使用して、異なるセットの副搬送波上で複数の電力決定パイロットを送信してもよい。
【００７２】
ＵＥは、さまざまな方法で、１個以上のＳＣ−ＦＤＭＡシンボル中のリソースユニットのセット上で、電力決定パイロットを送信してもよい。１つの設計では、例えば、擬似ランダムシーケンスまたはＣＡＺＡＣシーケンスに基づいて、変調シンボルのシーケンスを発生させてもよい。変調シンボルのシーケンスは、ＵＥを一意的に識別してもよく、および／または、他の情報を伝えてもよい。電力決定パイロットを送信するために使用したリソースユニットに、シーケンス中の変調シンボルをマッピングしてもよい。（ｉ）電力決定パイロットを送信するために使用したリソースユニットにマッピングされた、電力決定パイロットに対する変調シンボルと、（ｉｉ）残りのリソースユニットにマッピングされた、他の変調シンボルおよび／またはゼロのシンボルとにより、１個以上のＳＣ−ＦＤＭＡシンボルを発生させてもよい。
【００７３】
１つの設計では、電力決定パイロットに対する送信電力レベルは、後続する時間−周波数リソース上のデータ送信に対する送信電力レベルに等しく設定されていてもよい。別の設計では、電力決定パイロットに対する送信電力レベルは、データ送信に対する送信電力レベルのスケーリングされたバージョンに等しく設定されていてもよい。さらに別の設計では、固定の電力レベルで電力決定パイロットを送信してもよく、電力決定パイロット中で送られた情報により、データ送信に対する送信電力レベルが伝えられてもよい。
【００７４】
ダウンリンクおよびアップリンクの双方対して、空間的にさまざまな方法で、電力決定パイロットを送信してもよい。１つの設計では、プリコーディングなしで、電力決定パイロットを送信してもよい。別の設計では、プリコーディングにより、特定の空間方向において、電力決定パイロットを送信してもよい。さらに別の設計では、データ送信に対して使用してもよい複数のレイヤに対応して、複数の電力決定パイロットを送信してもよい。複数のレイヤに対する電力決定パイロットは、オーバーラップしてもよく、または、オーバーラップしなくてもよい。
【００７５】
図１１は、電力決定パイロットを送信するためのプロセス１１００の設計を示している。基地局／ｅＮＢまたはＵＥ、あるいは、他のいくつかのエンティティであってもよい局により、プロセス１１００を実行してもよい。局は、電力決定パイロットを送信するために使用する時間−周波数リソースのセットを決定してもよい（ブロック１１１２）。この時間−周波数リソースのセットは、送信に対して利用可能な時間−周波数リソースのある割合を含んでいてもよい。１つの設計では、局は、データ送信に対して使用する送信電力レベルに基づいて、電力決定パイロットに対する送信電力レベルを決定してもよい（ブロック１１１４）。電力決定パイロットに対する送信電力レベルは、データ送信に対する送信電力レベルに等しくてもよく、または、スケーリングファクタにより、データ送信に対する送信電力レベルに関連付けられていてもよく、または、固定の送信電力レベルに等しくてもよい。
【００７６】
局は、第１の時間期間中に、時間−周波数リソースのセット上で、電力決定パイロットに対して決定された送信電力レベルで、電力決定パイロットを送信して、第１の時間期間の後の第２の時間期間中のデータ送信に対して使用する送信電力レベルを示してもよい（ブロック１１１６）。第２の時間期間中に、データ送信が送られない場合、局は、ゼロの電力で電力決定パイロットを送信してもよい。１つの設計では、第１および第２の時間期間は、均一に間隔があけられたサブフレームを含む、インターレース中の連続するサブフレームに対応していてもよい。別の設計では、第２の時間期間は、第１の時間期間と可変量だけ離されていてもよく、電力決定パイロットにより、または、他の何らかのメカニズムを通して、この可変量が伝えられてもよい。
【００７７】
１つの設計では、局は、電力決定パイロットを送信する要求を受信してもよく、要求に応答して、電力決定パイロットを送信してもよい。別の設計では、局は、特定の構成にしたがって、電力決定パイロットを送信するための表示を受信してもよい。局は、その後、構成にしたがって、例えば、均一に間隔があけられた時間期間において、電力決定パイロットを定期的に送信してもよい。
【００７８】
１つの設計では、局は、ＯＦＤＭＡにより、電力決定パイロットを送信してもよい。この設計では、時間−周波数リソースのセットは、リソースエレメントのセットを含んでいてもよく、このリソースエレメントのセットは、送信に対して利用可能なリソースエレメントのある割合を含んでいてもよい。例えば、図６Ａまたは６Ｂ中で示したように、リソースエレメントのセットは、少なくとも１個のリソースブロック中の、複数の副搬送波、および／または、複数のシンボル期間にわたって分配してもよい。局は、リソースエレメントのセット上で電力決定パイロットを送信してもよい。局は、リソースエレメントのセット上の電力決定パイロットを含む少なくとも１個のＯＦＤＭＡシンボルを発生させてもよく、少なくとも１個のＯＦＤＭＡシンボルを送信してもよい。異なるＯＦＤＭＡシンボル中の同じ副搬送波上で、または、異なるＯＦＤＭＡシンボル中の異なる副搬送波上で、電力決定パイロットを送信してもよい。スタガリング／ホッピングのパターンに基づいて、異なる副搬送波を決定してもよい。
【００７９】
別の設計では、局は、ＳＣ−ＦＤＭＡにより、電力決定パイロットを送信してもよい。この設計では、時間−周波数リソースのセットは、少なくとも１個のＳＣ−ＦＤＭＡシンボル中のリソースユニットのセットを含んでいてもよい。図８中で示したように、リソースユニットのセットは、各ＳＣ−ＦＤＭＡシンボル中で送信に対して利用可能なすべてのリソースユニットの予め定められた割合を含んでいてもよい。リソースユニットのセットはまた、利用可能なリソースユニットのうちの予め定められたもの、例えば、図８中で示したような、各ＳＣ−ＦＤＭＡシンボル中の最後の２個のリソースユニットを含んでもよい。局は、リソースユニットのセット中の電力決定パイロットを含んでいる少なくとも１個のＳＣ−ＦＤＭＡシンボルを発生させてもよく、少なくとも１個のＳＣ−ＦＤＭＡシンボルを送信してもよい。（例えば、図８中で示したように）異なるＳＣ−ＦＤＭＡシンボルにおける同じシンボル位置中で、または、異なるＳＣ−ＦＤＭＡシンボルにおける異なるシンボル位置中で、電力決定パイロットを送信してもよい。
【００８０】
１つの設計では、局は、局を識別するシンボルのシーケンスを発生させてもよい。局は、電力決定パイロットを送信するために使用する時間−周波数のリソースのセットに、シンボルのシーケンスをマッピングしてもよい。複数の局は、同じセットの時間−周波数のリソース上で、それらの電力決定パイロットを送信してもよい。これらの局からの電力決定パイロットは、その後オーバーラップするだろうし、これにより、ＳＮＲ推定を簡略化することができる。
【００８１】
１つの設計では、局は、複数の副帯域の中の副帯域上で、電力決定パイロットを送信してもよい。電力決定パイロットは、第２の時間期間中の同じ副帯域上のデータ送信に対して使用する送信電力レベルを示してもよい。
【００８２】
１つの設計では、局は、第２の電力決定パイロットを送信するために使用する第２のセットの時間−周波数リソースを決定してもよい。局は、第１の時間期間中に、第２のセットの時間−周波数リソース上で第２の電力決定パイロットを送信して、第１の時間期間の後のデータ送信に対して使用する第２の送信電力レベルを示してもよい。１つの設計では、ＯＦＤＭＡに対して、２個の電力決定パイロットに対する２つのセットの時間−周波数リソースが、少なくとも１個のリソースブロック中の２つのセットのリソースエレメントを含んでいてもよい。別の設計では、ＳＣ−ＦＤＭＡに対して、２つのセットの時間−周波数リソースが、同じＳＣ−ＦＤＭＡシンボル中の、または、異なるＳＣ−ＦＤＭＡシンボル中の、２つのセットのリソースユニットを含んでいてもよい。
【００８３】
１つの設計では、例えば、図７Ａ中で示したように、２個の電力決定パイロットを第１および第２の副帯域上で送信してもよく、２個の電力決定パイロットが、第１および第２の副帯域上のデータ送信に対して使用する送信電力レベルをそれぞれ示してもよい。別の設計では、例えば、図７Ｂ中で示したように、２個の電力決定パイロットを同じ副帯域上で送信してもよく、２個の電力決定パイロットが、第１および第２の副帯域上のデータ送信に対して使用する送信電力レベルを示してもよい。さらに別の設計では、第１の時間期間中に２個の電力決定パイロットを送信してもよく、２個の電力決定パイロットが、第２の時間期間および第３の時間期間中のデータ送信に対して使用する送信電力レベルを示してもよい。局はまた、１個以上の追加的な電力決定パイロットを送信してもよい。
【００８４】
図１２は、電力決定パイロットを送信するための装置１２００の設計を示している。装置１２００は、電力決定パイロットを送信するために使用する時間−周波数リソースのセットを決定するモジュール１２１２と、データ送信に対して使用する送信電力レベルに基づいて、電力決定パイロットに対する送信電力レベルを決定するモジュール１２１４と、第１の時間期間中に、時間−周波数リソースのセット上で電力決定パイロットを送信して、第１の時間期間の後の第２の時間期間中のデータ送信に対して使用する送信電力レベルを示すモジュール１２１６とを備えている。
【００８５】
図１３は、電力決定パイロットを受信するためのプロセス１３００の設計を示している。プロセス１３００は、基地局／ｅＮＢまたはＵＥ、あるいは、他のいくつかのエンティティであってもよい第１の局により実行してもよい。第１の局は、第１の時間期間中に、時間−周波数リソースのセット上で、少なくとも１つの干渉局から少なくとも１つの電力決定パイロットを受信してもよい（ブロック１３１２）。各電力決定パイロットは、電力決定パイロットを送信する干渉局による、第１の時間期間の後の第２の時間期間中のデータ送信に対して使用する送信電力レベルを示してもよい。
【００８６】
第１の局は、第１の時間期間中に受信した少なくとも１個の電力決定パイロットに基づいて、第２の時間期間中のチャネル品質を推定してもよい（ブロック１３１４）。１つの設計では、第１の局は、その干渉局から受信した電力決定パイロットに基づいて、第２の時間期間中の各干渉局による干渉を推測してもよい。第１の局は、その後、少なくとも１つの干渉局からの推定した干渉に基づいて、第２の時間期間中のチャネル品質を推定してもよい。
【００８７】
第１の局は、推定したチャネル品質を示す情報を、第２の局に送ってもよい（ブロック１３１６）。第１の局は、その後、この情報に基づいて、第２の時間期間中に第２の局から送られるデータ送信を受信してもよい（ブロック１３１８）。ダウンリンク上のデータ送信に対して、第１の局はＵＥであってもよく、第２の局は担当基地局であってもよく、少なくとも１つの干渉局は、少なくとも１つの干渉基地局であってもよい。アップリンク上のデータ送信に対して、第１の局は基地局であってもよく、第２の局はターゲットＵＥであってもよく、少なくとも１つの干渉局は、少なくとも１つの干渉ＵＥであってもよい。
【００８８】
図１４は、電力決定パイロットを受信するための装置１４００の設計を示している。装置１４００は、第１の局において、第１の時間期間中に、時間−周波数リソースのセット上で、少なくとも１つの干渉局から少なくとも１つの電力決定パイロットを受信するモジュール１４１２と、第１の時間期間中に受信した少なくとも１つの電力決定パイロットに基づいて、第２の時間期間中のチャネル品質を推定するモジュール１４１４と、推定したチャネル品質を示す情報を、第１の局から第２の局に送信するモジュール１４１６と、情報に基づいて、第２の時間期間中に第２の局により送られるデータ送信を受信するモジュール１４１８とを備えている。
【００８９】
図１２および１４中のモジュールは、プロセッサ、電子デバイス、ハードウェアデバイス、電子コンポーネント、論理回路、メモリ、ソフトウェアコード、ファームウェアコードなど、ならびに、これらの何らかの組み合わせを含んでいてもよい。
【００９０】
図１５は、図１中の基地局／ｅＮＢのうちの１つ、および、ＵＥのうちの１つであってもよい、基地局／ｅＮＢ１１０およびＵＥ１２０の設計のブロックダイヤグラムを示している。基地局１１０は、Ｔ本のアンテナ１５３４ａないし１５３４ｔを装備していてもよく、ＵＥ１２０は、Ｒ本のアンテナ１５５２ａないし１５５２ｒを装備していてもよく、ここでは、一般的に、Ｔ≧１およびＲ≧１である。
【００９１】
基地局１１０において、送信プロセッサ１５２０は、データソース１５１２からデータを受け取り、制御装置／プロセッサ１５４０から制御情報を受け取ってもよい。プロセッサ１５２０は、データおよび制御情報を処理（例えば、エンコード、インターリーブ、または、シンボルマッピング）して、それぞれ、データシンボルおよび制御シンボルを取得してもよい。プロセッサ１５２０はまた、１個以上の電力決定パイロットに対するパイロットシンボルと基準信号とを発生させてもよい。送信（ＴＸ）複数入力複数出力（ＭＩＭＯ）プロセッサ１５３０は、適用可能な場合に、データシンボル、制御シンボル、および／またはパイロットシンボル上で、空間処理（例えばプリコーディング）を実行してもよく、Ｔ個の変調器（ＭＯＤ）１５３２ａないし１５３２ｔにＴ個の出力シンボルストリームを提供してもよい。各変調器１５３２は、（例えばＯＦＤＭなどのために）それぞれの出力シンボルストリームを処理し、出力サンプルストリームを取得してもよい。各変調器１５３２は、さらに、出力サンプルストリームを処理（例えば、アナログにコンバート、増幅、フィルタリング、およびアップコンバート）して、ダウンリンク信号を取得してよい。変調器１５３２ａないし１５３２ｔからのＴ個のダウンリンク信号は、それぞれ、Ｔ個のアンテナ１５３４ａないし１５３４ｔを通して送信されてもよい。
【００９２】
ＵＥ１２０において、アンテナ１５５２ａないし１５５２ｒは、基地局１１０からダウンリンク信号を受信してもよく、受信信号を復調器（ＤＥＭＯＤ）１５５４ａないし１５５４ｒにそれぞれ提供してもよい。各復調器１５５４は、この受信信号を調整（例えば、フィルタリング、増幅、ダウンコンバート、およびデジタル化）して、入力サンプルを取得してもよい。各復調器１５５４は、（例えば、ＯＦＤＭなどのために）入力サンプルをさらに処理して、受信シンボルを取得してもよい。ＭＩＭＯ検出器１５５６は、すべてのＲ個の復調器１５５４ａないし１５５４ｒから受信シンボルを取得し、適用可能な場合に、受信シンボル上でＭＩＭＯ検出を実行して、検出したシンボルを提供してもよい。受信プロセッサ１５５８は、検出シンボルを処理（例えば、復調、デインターリーブ、およびデコード）し、ＵＥ１２０に対するデコードしたデータをデータシンク１５６０に提供して、デコードした制御情報を制御装置／プロセッサ１５８０に提供してもよい。
【００９３】
アップリンク上で、ＵＥ１２０において、送信プロセッサ１５６４は、データソース１５６２からのデータと、制御装置／プロセッサ１５８０からの制御情報とを、受け取って処理してもよい。プロセッサ１５６４はまた、１個以上の電力決定パイロットに対するパイロットシンボルと基準信号とを発生させてもよい。送信プロセッサ１５６４からのシンボルは、適用可能な場合に、ＴＸ ＭＩＭＯプロセッサ１５６６によりプリコーディングされてもよく、（例えば、ＳＣ−ＦＤＭなどのために）変調器１５５４ａないし１５５４ｒによりさらに処理されて、基地局１１０に送信されてもよい。基地局１１０において、ＵＥ１２０からのアップリンク信号は、アンテナ１５３４により受信され、復調器１５３２により処理され、適用可能な場合に、ＭＩＭＯ検出器１５３６により検出されて、受信プロセッサ１５３８によりさらに処理されて、ＵＥ１２０により送られ、デコードされた、データおよび制御情報を取得してもよい。プロセッサ１５３８は、デコードされたデータをデータシンク１５３９に提供し、デコードされた制御情報を制御装置／プロセッサ１５４０に提供してもよい。
【００９４】
制御装置／プロセッサ１５４０および１５８０は、それぞれ、基地局１１０およびＵＥ１２０における動作を命令してもよい。チャネルプロセッサ１５４６および１５８４は、アップリンクおよびダウンリンク上で、それぞれ受信された電力決定パイロットおよび他のパイロットを処理してもよく、チャネル品質推定を取得してもよい。基地局１１０における、プロセッサ１５４０および／または他のプロセッサと、モジュールは、図１１中の処理１１００、図１３中の処理１３００、および／または、ここで記述した技術に対する他の処理を実行あるいは命令してもよい。ＵＥ１２０における、プロセッサ１５８０および／または他のプロセッサと、モジュールは、処理１１００、処理１３００、および／または、ここで記述した技術に対する他の処理を実行あるいは命令してもよい。メモリ１５４２および１５８２は、基地局１１０およびＵＥ１２０に対するデータとプログラムコードとをそれぞれ記憶してもよい。スケジューラ１５４４は、ダウンリンクおよび／またはアップリンク上のデータ送信に対してＵＥをスケジューリングしてもよい。
【００９５】
当業者は、さまざまな異なる技術および技法のうちの任意のものを使用して、情報および信号を表してもよいことを理解するであろう。例えば、上記の記述全体を通して参照されうるデータ、命令、コマンド、情報、信号、ビット、シンボルおよびチップは、電圧、電流、電磁波、磁界または磁粒、光界または光粒、あるいは、これらの任意の組み合わせたものにより表してもよい。
【００９６】
ここでの開示に関連して記述した、さまざまな例示的な論理ブロック、モジュール、回路およびアルゴリズムステップを、電子ハードウェア、コンピュータソフトウェア、または、双方を組み合わせたものとして実現してもよいことを、当業者はさらに正しく認識するであろう。ハードウェアおよびソフトウェアのこの交換可能性を明確に示すために、さまざまな例示的なコンポーネント、ブロック、モジュール、回路、およびステップを、概してこれらの機能性に関して上述した。このような機能性がハードウェアまたはソフトウェアとして実現されるか否かは、システム全体に課せられた、特定の応用、および、設計の制約に依存する。熟練者は、それぞれの特定の応用に対して変化する方法で、記述した機能性を実現してもよいが、そのような実現の決定は、本開示の範囲からの逸脱を生じさせるものとして解釈すべきではない。
【００９７】
ここでの開示に関連して説明したさまざまな例示的な論理ブロック、モジュールおよび回路は、汎用プロセッサ、デジタル信号プロセッサ（ＤＳＰ）、特定用途向け集積回路（ＡＳＩＣ）、現場プログラム可能ゲートアレイ（ＦＰＧＡ）または他のプログラム可能論理デバイス、ディスクリートゲートまたはトランジスタ論理、ディスクリートハードウェアコンポーネント、あるいは、ここに記述した機能を実行するように設計されているこれらの任意の組み合わせたものにより、実現または実行してもよい。汎用プロセッサはマイクロプロセッサであってもよいが、代替実施形態では、プロセッサは、任意の従来のプロセッサ、制御装置、マイクロ制御装置または状態機械であってもよい。プロセッサはまた、例えば、ＤＳＰおよびマイクロプロセッサを組み合わせたものや、複数のマイクロプロセッサや、ＤＳＰコアを伴う１つ以上のマイクロプロセッサや、任意のその他のこのようなコンフィギュレーションのような、コンピューティングデバイスを組み合わせたものとして実現してもよい。
【００９８】
ここでの開示に関連して記述した方法またはアルゴリズムのステップは、ハードウェアで、プロセッサにより実行されるソフトウェアモジュールで、あるいは、双方を組み合わせたもので直接的に具現化してもよい。ソフトウェアモジュールは、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されていてもよい。プロセッサおよび記憶媒体は、ＡＳＩＣに存在していてもよい。ＡＳＩＣは、ユーザ端末に存在していてもよい。代替実施形態では、プロセッサおよび記憶媒体は、ディスクリートコンポーネントとしてユーザ端末に存在していてもよい。
【００９９】
１つ以上の例示的な設計において、記述した機能を、ハードウェアで、ソフトウェアで、ファームウェアで、または、これらのものを組み合わせた任意のもので実現してもよい。ソフトウェアで実現した場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、汎用コンピュータまたは特別用途コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用コンピュータまたは特別用途コンピュータ、ならびに、汎用プロセッサまたは特別用途プロセッサによりアクセスでき、命令またはデータ構造の形態で所望のプログラムコード手段を伝送または記憶するために使用できる他の何らかの媒体を含んでいてもよい。また、あらゆる接続は、コンピュータ読取可能媒体と適切に呼ばれる。例えば、ソフトウェアが、同軸ケーブルや、光ファイバケーブルや、撚り対や、デジタル加入者線（ＤＳＬ）や、あるいは、赤外線、無線、マイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル汎用ディスク（ＤＶＤ）、フロッピー（登録商標）ディスク、および、ブルーレイディスク（登録商標）を含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【０１００】
本開示のこれまでの記述は、当業者が本開示を製作または使用できるように提供した。本開示に対するさまざま改良は当業者に容易に明らかとなり、ここに規定した一般的な原理は、本開示の精神または範囲から逸脱することなく、他のバリエーションに適用されてもよい。したがって、本開示は、ここで記述した例および設計に限定されることを意図しているものではなく、ここで開示した原理および新しい特徴と一致した最も広い範囲に一致させるべきである。
以下に、本願出願時の特許請求の範囲に記載された発明を付記する。
［１］ワイヤレス通信のための方法において、
電力決定パイロットを送信するために使用する時間−周波数リソースのセットを決定することと、
第１の時間期間中に、前記時間−周波数リソースのセット上で、前記電力決定パイロットを送信して、前記第１の時間期間の後の第２の時間期間中のデータ送信に対して使用する送信電力レベルを示すこととを含み、
前記時間−周波数リソースのセットは、送信に対して利用可能な時間−周波数リソースのある割合を含む方法。
［２］前記第２の時間期間におけるデータ送信に対して使用する送信電力レベルに基づいて、前記電力決定パイロットに対する送信電力レベルを決定することをさらに含み、
前記電力決定パイロットは、前記電力決定パイロットに対して決定された前記送信電力レベルにおいて送信される［１］記載の方法。
［３］前記第２の時間期間中に、データ送信が送られない場合、前記電力決定パイロットは、ゼロの電力において送信される［１］記載の方法。
［４］前記時間−周波数リソースのセットを決定することは、前記電力決定パイロットを送信するために使用するリソースエレメントのセットを決定することを含み、前記電力決定パイロットを送信することは、前記リソースエレメントのセット上で前記電力決定パイロットを送信することを含む［１］記載の方法。
［５］前記リソースエレメントのセットは、少なくとも１個のリソースブロック中で、複数の副搬送波と複数のシンボル期間とにわたって分配される［４］記載の方法。
［６］前記リソースエレメントのセット上で前記電力決定パイロットを送信することは、
前記リソースエレメントのセット上に前記電力決定パイロットを有する少なくとも１個の直交周波数分割多元接続（ＯＦＤＭＡ）シンボルを発生させることと、
少なくとも１個のＯＦＤＭＡシンボルを送信することとを含む［４］記載の方法。
［７］前記時間−周波数リソースのセットを決定することは、少なくとも１個の単一搬送波周波数分割多元接続（ＳＣ−ＦＤＭＡ）シンボル中で前記電力決定パイロットを送信するために使用するリソースユニットのセットを決定することを含み、前記電力決定パイロットを送信することは、前記少なくとも１個のＳＣ−ＦＤＭＡシンボル中の前記リソースユニットのセット上で前記電力決定パイロットを送信することを含む［１］記載の方法。
［８］前記リソースユニットのセットは、各ＳＣ−ＦＤＭＡシンボル中の送信に対して利用可能なシンボル位置の予め定められた割合を占有する［７］記載の方法。
［９］前記リソースユニットのセットは、前記少なくとも１個のＳＣ−ＦＤＭＡシンボル中の送信に対して利用可能なリソースユニットのうちの予め定められたものを含む［７］記載の方法。
［１０］前記電力決定パイロットを送信することは、
前記リソースユニットのセット上に前記電力決定パイロットを有する前記少なくとも１個のＳＣ−ＦＤＭＡシンボルを発生させることと、
前記少なくとも１個のＳＣ−ＦＤＭＡシンボルを送信することとを含む［７］記載の方法。
［１１］前記電力決定パイロットを送信することは、
前記電力決定パイロットを送信する局を識別するシンボルのシーケンスを発生させることと、
前記シンボルのシーケンスを、前記電力決定パイロットを送信するために使用する前記時間―周波数リソースのセットにマッピングすることとを含む［１］記載の方法。
［１２］前記電力決定パイロットは、特定の空間方向に送信される［１］記載の方法。
［１３］前記電力決定パイロットは、複数の副帯域のうちの副帯域上で送信され、前記第２の時間期間中の前記副帯域上のデータ送信のために使用する送信電力レベルを示す［１］記載の方法。
［１４］複数の局が、前記時間−周波数リソースのセット上でオーバーラップしている電力決定パイロットを送信する［１］記載の方法。
［１５］第２の電力決定パイロットを送信するために使用する時間−周波数リソースの第２のセットを決定することと、
前記第１の時間期間中に、前記時間−周波数リソースの第２のセット上で、前記第２の電力決定パイロットを送信して、前記第１の時間期間の後のデータ送信に対して使用する第２の送信電力レベルを示すこととをさらに含む［１］記載の方法。
［１６］前記時間−周波数リソースのセットは、少なくとも１個のリソースブロック中にリソースエレメントの第１のセットを有し、前記時間−周波数リソースの第２のセットは、前記少なくとも１個のリソースブロック中に前記リソースエレメントの第２のセットを有する［１５］記載の方法。
［１７］前記時間−周波数リソースのセットは、少なくとも１個の単一搬送波周波数分割多元接続（ＳＣ−ＦＤＭＡ）シンボル中に、リソースユニットの第１のセットを有し、前記時間−周波数リソースの第２のセットは、前記少なくとも１個のＳＣ−ＦＤＭＡシンボル中に、リソースユニットの第２のセットを含む［１５］記載の方法。
［１８］前記時間−周波数リソースのセットは、サブフレームにおける第１の単一搬送波周波数分割多元接続（ＳＣ−ＦＤＭＡ）シンボル中に、リソースユニットの第１のセットを有し、前記時間−周波数リソースの第２のセットは、サブフレームにおける第２のＳＣ−ＦＤＭＡシンボル中に、リソースユニットの第２のセットを有する［１５］記載の方法。
［１９］前記電力決定パイロットは、第１の副帯域上で送信され、前記第１の副帯域上のデータ送信に対して使用する前記送信電力レベルを示しており、前記第２の電力決定パイロットは、第２の副帯域上で送信され、前記第２の副帯域上のデータ送信に対して使用する前記第２の送信電力レベルを示している［１５］記載の方法。
［２０］前記電力決定パイロットは、第１の副帯域上で送信され、前記第１の副帯域上のデータ送信に対して使用する前記送信電力レベルを示しており、前記第２の電力決定パイロットは、前記第１の副帯域上で送信され、第２の副帯域上のデータ送信に対して使用する前記第２の送信電力レベルを示している［１５］記載の方法。
［２１］前記第２の電力決定パイロットは、前記第２の時間期間の後の第３の時間期間中のデータ送信に対して使用する前記第２の送信電力レベルを示している［１５］記載の方法。
［２２］前記電力決定パイロットを送信する要求を受信することをさらに含み、前記電力決定パイロットは、前記要求を受信することに応答して送信される［１］記載の方法。
［２３］前記電力決定パイロットは、均一に間隔があけられた時間期間中に、周期的に送信される［１］記載の方法。
［２４］前記電力決定パイロットは、パターンに基づいて、異なる時間期間中に、異なる副搬送波上で送信される［１］記載の方法。
［２５］前記第１および第２の時間期間は、均一に間隔があけられたサブフレームを含むインターレースにおける連続するサブフレームに対応している［１］記載の方法。
［２６］ワイヤレス通信のための装置において、
電力決定パイロットを送信するために使用する時間−周波数リソースのセットを決定する手段と、
第１の時間期間中に、前記時間−周波数リソースのセット上で、前記電力決定パイロットを送信して、前記第１の時間期間の後の第２の時間期間中のデータ送信に対して使用する送信電力レベルを示す手段とを具備し、
前記時間−周波数リソースのセットは、送信に対して利用可能な時間−周波数リソースのある割合を含む装置。
［２７］前記第２の時間期間中のデータ送信に対して使用する送信電力レベルに基づいて、前記電力決定パイロットに対する送信電力レベルを決定する手段をさらに具備し、
前記電力決定パイロットは、前記電力決定パイロットに対して決定された前記送信電力レベルにおいて送信される［２６］記載の装置。
［２８］前記時間−周波数リソースのセットを決定する手段は、前記電力決定パイロットを送信するために使用するリソースエレメントのセットを決定する手段を備え、前記電力決定パイロットを送信する手段は、前記リソースエレメントのセット上で前記電力決定パイロットを送信する手段を備える［２６］記載の装置。
［２９］前記時間−周波数リソースのセットを決定する手段は、少なくとも１個の単一搬送波周波数分割多元接続（ＳＣ−ＦＤＭＡ）シンボル中で前記電力決定パイロットを送信するために使用するリソースユニットのセットを決定する手段を備え、前記電力決定パイロットを送信する手段は、前記少なくとも１個のＳＣ−ＦＤＭＡシンボル中の前記リソースユニットのセット上で前記電力決定パイロットを送信する手段を備える［２６］記載の装置。
［３０］前記電力決定パイロットを送信する手段は、
前記電力決定パイロットを送信する局を識別するシンボルのシーケンスを発生させる手段と、
前記シンボルのシーケンスを、前記電力決定パイロットを送信するために使用する前記時間―周波数リソースのセットにマッピングする手段とを備える［２６］記載の装置。
［３１］ワイヤレス通信のための装置において、
電力決定パイロットを送信するために使用する時間−周波数リソースのセットを決定し、
第１の時間期間中に、前記時間−周波数リソースのセット上で、前記電力決定パイロットを送信して、前記第１の時間期間の後の第２の時間期間中のデータ送信に対して使用する送信電力レベルを示すように構成されている少なくとも１つのプロセッサを具備し、
前記時間−周波数リソースのセットは、送信に対して利用可能な時間−周波数リソースのある割合を含む装置。
［３２］前記少なくとも１つのプロセッサは、前記第２の時間期間中のデータ送信に対して使用する送信電力レベルに基づいて、前記電力決定パイロットに対する送信電力レベルを決定し、前記電力決定パイロットに対して決定された前記送信電力レベルにおいて、前記電力決定パイロットを送信するように構成されている［３１］記載の装置。
［３３］前記少なくとも１つのプロセッサは、前記電力決定パイロットを送信するために使用するリソースエレメントのセットを決定し、前記リソースエレメントのセット上で前記電力決定パイロットを送信するように構成されている［３１］記載の装置。
［３４］前記少なくとも１つのプロセッサは、少なくとも１個の単一搬送波周波数分割多元接続（ＳＣ−ＦＤＭＡ）シンボル中で前記電力決定パイロットを送信するために使用するリソースユニットのセットを決定し、前記少なくとも１個のＳＣ−ＦＤＭＡシンボル中の前記リソースユニットのセット上で前記電力決定パイロットを送信するように構成されている［３１］記載の装置。
［３５］前記少なくとも１つのプロセッサは、前記電力決定パイロットを送信する局を識別するシンボルのシーケンスを発生させ、前記シンボルのシーケンスを、前記電力決定パイロットを送信するために使用する前記時間―周波数リソースのセットにマッピングするように構成されている［３１］記載の装置。
［３６］コンピュータプログラムプロダクトにおいて、
少なくとも１つのコンピュータに、電力決定パイロットを送信するために使用する時間−周波数リソースのセットを決定させるためのコードと、
前記少なくとも１つのコンピュータに、第１の時間期間中に、前記時間−周波数リソースのセット上で、前記電力決定パイロットを送信させて、前記第１の時間期間の後の第２の時間期間中のデータ送信に対して使用する送信電力レベルを示させるためのコードとを有するコンピュータ読取可能媒体を含み、
前記時間−周波数リソースのセットは、送信に対して利用可能な時間−周波数リソースのある割合を含むコンピュータプログラムプロダクト。
［３７］ワイヤレス通信のための方法において、
各電力決定パイロットが、電力決定パイロットを送信する干渉局による、第１の時間期間の後の第２の時間期間中のデータ送信に対して使用する送信電力レベルを示し、
第１の局で、前記第１の時間期間中に、時間−周波数リソースのセット上で、少なくとも１つの干渉局から少なくとも１個の電力決定パイロットを受信することと、
前記第１の時間期間中に受信した前記少なくとも１個の電力決定パイロットに基づいて、前記第２の時間期間中のチャネル品質を推定することとを含む方法。
［３８］前記チャネル品質を推定することは、
前記第１の時間期間中に前記干渉局から受信した前記電力決定パイロットに基づいて、前記第２の時間期間中の前記少なくとも１つの干渉局のそれぞれによる干渉を推定することと、
前記第２の時間期間中の前記少なくとも１つの干渉局からの推定した干渉に基づいて、前記第２の時間期間中のチャネル品質を推定することとを含む［３７］記載の方法。
［３９］前記推定したチャネル品質を示す情報を、前記第１の局から第２の局に送ることと、
前記情報に基づいて前記第２の時間期間中に前記第２の局により送られたデータ送信を受信することとをさらに含む［３７］記載の方法。
［４０］前記第１の局はユーザ機器（ＵＥ）であり、前記第２の局は担当基地局であり、前記少なくとも１つの干渉局は、少なくとも１つの干渉基地局である［３９］記載の方法。
［４１］前記第１の局は基地局であり、前記第２の局はターゲットユーザ機器（ＵＥ）であり、前記少なくとも１つの干渉局は、少なくとも１つの干渉ＵＥである［３９］記載の方法。
［４２］ワイヤレス通信のための装置において、
各電力決定パイロットが、電力決定パイロットを送信する干渉局による、第１の時間期間の後の第２の時間期間中のデータ送信に対して使用する送信電力レベルを示し、
第１の局で、前記第１の時間期間中に、時間−周波数リソースのセット上で、少なくとも１つの干渉局から少なくとも１個の電力決定パイロットを受信する手段と、
前記第１の時間期間中に受信した前記少なくとも１個の電力決定パイロットに基づいて、前記第２の時間期間中のチャネル品質を推定する手段とを具備する装置。
［４３］前記チャネル品質を推定する手段は、
前記第１の時間期間中に前記干渉局から受信した前記電力決定パイロットに基づいて、前記第２の時間期間中の前記少なくとも１つの干渉局のそれぞれによる干渉を推定する手段と、
前記第２の時間期間中の前記少なくとも１つの干渉局からの推定した干渉に基づいて、前記第２の時間期間中のチャネル品質を推定する手段とを備える［４２］記載の装置。
［４４］前記推定したチャネル品質を示す情報を、前記第１の局から第２の局に送る手段と、
前記情報に基づいて前記第２の時間期間中に前記第２の局により送られたデータ送信を受信する手段とをさらに具備する［４２］記載の装置。
［４５］ワイヤレス通信のための装置において、
各電力決定パイロットが、電力決定パイロットを送信する干渉局による、第１の時間期間の後の第２の時間期間中のデータ送信に対して使用する送信電力レベルを示し、
第１の局で、前記第１の時間期間中に、時間−周波数リソースのセット上で、少なくとも１つの干渉局から少なくとも１個の電力決定パイロットを受信し、
前記第１の時間期間中に受信した前記少なくとも１個の電力決定パイロットに基づいて、前記第２の時間期間中のチャネル品質を推定するように構成されている少なくとも１つのプロセッサを具備する装置。
［４６］前記少なくとも１つのプロセッサは、
前記第１の時間期間中に前記干渉局から受信した前記電力決定パイロットに基づいて、前記第２の時間期間中の前記少なくとも１つの干渉局のそれぞれによる干渉を推定し、
前記第２の時間期間中の前記少なくとも１つの干渉局からの推定した干渉に基づいて、前記第２の時間期間中のチャネル品質を推定するように構成されている［４５］記載の装置。
［４７］前記少なくとも１つのプロセッサは、
前記推定したチャネル品質を示す情報を、前記第１の局から第２の局に送り、
前記情報に基づいて前記第２の時間期間中に前記第２の局により送られたデータ送信を受信するように構成されている［４５］記載の装置。
［４８］コンピュータプログラムプロダクトにおいて、
各電力決定パイロットが、電力決定パイロットを送信する干渉局による、第１の時間期間の後の第２の時間期間中のデータ送信に対して使用する送信電力レベルを示し、
少なくとも１つのコンピュータに、第１の局で、前記第１の時間期間中に、時間−周波数リソースのセット上で、少なくとも１つの干渉局から少なくとも１個の電力決定パイロットを受信させるためのコードと、
前記少なくとも１つのコンピュータに、前記第１の時間期間中に受信した前記少なくとも１個の電力決定パイロットに基づいて、前記第２の時間期間中のチャネル品質を推定させるためのコードとを有するコンピュータ読取可能媒体を含むコンピュータプログラムプロダクト。
【図１】
0005587343.tif 000002
【図２】
0005587343.tif 000003
【図３】
0005587343.tif 000004
【図４】
0005587343.tif 000005
【図５】
0005587343.tif 000006
【図６Ａ】
0005587343.tif 000007
【図６Ｂ】
0005587343.tif 000008
【図７Ａ】
0005587343.tif 000009
【図７Ｂ】
0005587343.tif 000010
【図７Ｃ】
0005587343.tif 000011
【図８】
0005587343.tif 000012
【図９】
0005587343.tif 000013
【図１０】
0005587343.tif 000014
【図１１】
0005587343.tif 000015
【図１２】
0005587343.tif 000016
【図１３】
0005587343.tif 000017
【図１４】
0005587343.tif 000018
【図１５】
0005587343.tif 000019